(57)【要約】【課題】本発明は、サイズの異なる長方形の紙葉類の何れも一方の長辺を搬送方向に向ける搬送姿勢で的確に搬送する。【解決手段】本発明は、長辺最長紙葉類の長辺の長さに応じた搬送路幅で形成された搬送路に、紙葉類を搬送する２個の第１及び第２ローラを搬送路幅方向に沿って配置し、第１ローラを搬送路幅一端から搬送路幅他端側の長辺最短紙葉類の長辺の長さの位置よりも搬送路幅一端寄りに配置し、第２ローラを第１ローラよりも搬送路幅一端側で、搬送路幅他端から搬送路幅一端側の長辺最短紙葉類の長辺の長さの位置よりも搬送路幅他端寄りに配置することにより、搬送するサイズの異なる紙葉類が一方の長辺を搬送方向に向ける搬送姿勢で搬送路幅方向の何処を通る場合でも、第１及び第２ローラにより搬送でき、サイズの異なる長方形の紙葉類の何れも一方の長辺を搬送方向に向ける搬送姿勢で的確に搬送できる。【選択図】図９
2015110479.tif 000002
【特許請求の範囲】
【請求項１】
それぞれサイズの異なる複数種類の長方形の紙葉類のうち長辺が最も長い長辺最長紙葉類の当該長辺の長さに応じた搬送路幅で形成された搬送路と、
上記搬送路に搬送路幅方向に沿って同軸線上に２個のみ配置され、上記紙葉類を上記搬送路幅方向と直交する搬送方向へ搬送するための第１ローラ及び第２ローラと
を具え、
上記第１ローラは、
ローラ幅方向の中心が、上記搬送路における上記搬送路幅方向の搬送路幅一端から搬送路幅他端側の、複数種類の上記紙葉類のうち長辺が最も短い長辺最短紙葉類の当該長辺の長さの位置よりも上記搬送路幅一端寄りに位置するように配置され、
上記第２ローラは、
上記第１ローラの配置位置よりも上記搬送路幅一端側でローラ幅方向の中心が、上記搬送路幅他端から上記搬送路幅一端側の上記長辺最短紙葉類の上記長辺の長さの位置よりも上記搬送路幅他端寄りに位置するように配置された
紙葉類搬送装置。
【請求項２】
上記第１ローラは、
上記ローラ幅方向の中心が、上記搬送路幅他端から上記搬送路幅一端側の、複数種類の上記紙葉類のうち短辺が最も短い短辺最短紙葉類の当該短辺の長さの位置よりも上記搬送路幅他端寄りに位置するように配置され、
上記第２ローラは、
上記ローラ幅方向の中心が、上記搬送路幅一端から上記搬送路幅他端側の上記短辺最短紙葉類の上記短辺の長さの位置よりも上記搬送路幅一端寄りに位置するように配置された
請求項１に記載の紙葉類搬送装置。
【請求項３】
上記第１ローラ及び上記第２ローラは、
互いの上記ローラ幅方向の中心が、上記短辺最短紙葉類の上記短辺の長さよりも短い間隔で位置するように配置された
請求項２に記載の紙葉類搬送装置。
【請求項４】
上記搬送路に上記搬送路幅方向に対して順に配置され、搬送される上記紙葉類の通過の有無及び残留の有無を検出するための第１センサ及び第２センサ
を具え、
上記第１センサは、
上記搬送路幅一端から上記搬送路幅他端側の上記長辺最短紙葉類の上記長辺の長さの位置よりも上記搬送路幅一端寄りに配置され、
上記第２センサは、
上記第１センサの配置位置よりも上記搬送路幅一端側で、上記搬送路幅他端から上記搬送路幅一端側の上記長辺最短紙葉類の上記長辺の長さの位置よりも上記搬送路幅他端寄りに配置された
請求項３に記載の紙葉類搬送装置。
【請求項５】
上記第１センサは、
上記搬送路幅他端から上記搬送路幅一端側の上記短辺最短紙葉類の上記短辺の長さの位置よりも上記搬送路幅他端寄りに配置され、
上記第２センサは、
上記搬送路幅一端から上記搬送路幅他端側の上記短辺最短紙葉類の上記短辺の長さの位置よりも上記搬送路幅一端寄りに配置された
請求項４に記載の紙葉類搬送装置。
【請求項６】
上記第１センサ及び上記第２センサは、
上記短辺最短紙葉類の上記短辺の長さよりも短い間隔で配置された
請求項５に記載の紙葉類搬送装置。
【請求項７】
上記第１センサ及び上記第２センサは、
上記第１ローラと上記第２ローラとの間に配置された
請求項６に記載の紙葉類搬送装置。
【請求項８】
上記第１センサは、
上記第１ローラの上記ローラ幅方向の中心から上記搬送方向に配置され、
上記第２センサは、
上記第２ローラの上記ローラ幅方向の中心から上記搬送方向に配置された
請求項６に記載の紙葉類搬送装置。
【請求項９】
取扱対象のそれぞれサイズの異なる複数種類の長方形の紙葉類のうち長辺が最も長い長辺最長紙葉類の当該長辺の長さに応じた搬送路幅で形成された搬送路と、
上記搬送路に搬送路幅方向に沿って同軸線上に２個のみ配置され、上記紙葉類を上記搬送路幅方向と直交する搬送方向へ搬送するための第１ローラ及び第２ローラと
を具え、
上記第１ローラは、
ローラ幅方向の中心が、上記搬送路における上記搬送路幅方向の搬送路幅一端から搬送路幅他端側の、複数種類の上記紙葉類のうち長辺が最も短い長辺最短紙葉類の当該長辺の長さの位置よりも上記搬送路幅一端寄りに位置するように配置され、
上記第２ローラは、
上記第１ローラの配置位置よりも上記搬送路幅一端側でローラ幅方向の中心が、上記搬送路幅他端から上記搬送路幅一端側の上記長辺最短紙葉類の上記長辺の長さの位置よりも上記搬送路幅他端寄りに位置するように配置された
紙葉類取扱装置。
【発明の詳細な説明】
【技術分野】
【０００１】
本発明は紙葉類搬送装置及び紙葉類取扱装置に関し、例えば、紙幣の入金及び出金の取引を行う現金自動預払機（ATM：Automatic  Teller  Machine）、及び当該現金自動預払機に設けられた紙幣搬送部に適用して好適なものである。
【背景技術】
【０００２】
従来の紙幣処理装置は、日本の長方形の紙幣を扱うようになされており、その紙幣を、一方の長辺を搬送方向に向ける搬送姿勢で搬送するための搬送路が形成されている。
【０００３】
この場合、紙幣処理装置は、搬送路に対し紙幣の搬送方向に沿ってフィードローラ及び引き抜きローラが順に配置されると共に、阻止ローラ及び押えローラがフィードローラ及び引き抜きローラと対向させて配置されている。
【０００４】
そして紙幣処理装置では、搬送路において搬送方向に対するフィードローラと引き抜きローラとの配置間隔が、紙幣の短辺の長さの半分以下の距離に選定されている。
【０００５】
これにより紙幣処理装置は、搬送路を介して紙幣を、一方の長辺を搬送方向に向けて搬送するとき、搬送する紙幣の中に半折れ状態の紙幣や、紙幣以外のレシート等の紙葉類が混じっていても、これらをフィードローラと阻止ローラとの間、及び引き抜きローラと押えローラとの間に順に挟み込みながら送り出すようにして確実に搬送していた（例えば、特許文献１参照）。
【先行技術文献】
【特許文献】
【０００６】
【特許文献１】特開２０１０−２７２１４０公報（第１８頁、図２２、図２４）
【発明の概要】
【発明が解決しようとする課題】
【０００７】
ところで、最近では、係る構成の紙幣処理装置を日本のみならず海外でも使用することが考えられている。ただし、海外の紙幣は、日本の紙幣と同様に長方形に形成されているものの、発行国や金種によって日本の紙幣とはサイズ（すなわち、長辺の長さや短辺の長さ）が異なっている。
【０００８】
このため紙幣処理装置については、日本や海外で使用する場合、扱う紙幣のサイズに応じて構成する必要があるものの、使用国毎に構成（すなわち、使用する国で発行されている紙幣のサイズに特化して構成）すると、当該紙幣処理装置の種類が増えて製造が煩雑化することになる。
【０００９】
従って、紙幣処理装置については、各国（日本を含む）のサイズの異なる紙幣の扱いに兼用可能に（すなわち、各国のサイズの異なる紙幣を何れも扱うことができるように）構成することが望まれている。
【００１０】
ただし、紙幣処理装置を各国のサイズの異なる紙幣の扱いに兼用可能に構成する場合、当該紙幣処理装置で扱うことが想定される海外の紙幣の中には、日本の紙幣よりもサイズが大きい（すなわち、長辺の長さが長い）ものや、サイズの小さい（すなわち、長辺の長さが短い）ものが存在する。
【００１１】
このため紙幣処理装置を各国のサイズの異なる紙幣の扱いに兼用可能に構成する場合、特に搬送路については、その幅をサイズの最も大きい紙幣の当該サイズ（すなわち、長辺の最も長い紙幣の当該長辺の長さ）に応じて広くすれば、紙幣処理装置で扱うことが想定される各国のサイズの異なる紙幣の何れも、一方の長辺を搬送方向に向ける搬送姿勢で通すことができるようになる。
【００１２】
ところが、紙幣処理装置では、搬送路の幅を広げると、サイズの小さい（すなわち、長辺の短い）紙幣については、搬送時に必ずしも搬送路の中央部を通るとはかぎらず、幅方向の一端側や他端側を通るような場合がある。
【００１３】
このため紙幣処理装置では、各国のサイズの異なる紙幣の扱いに兼用可能に構成する場合、このように搬送路の幅を広げ、さらに上述のように搬送方向に対するローラの配置間隔を選定しただけでは、紙幣をサイズによらず的確に搬送し得るとは言い難いという問題があった。
【００１４】
本発明は以上の点を考慮してなされたもので、サイズの異なる長方形の紙葉類の何れも一方の長辺を搬送方向に向ける搬送姿勢で的確に搬送し得る紙葉類搬送装置及び紙葉類取扱装置を提案しようとするものである。
【課題を解決するための手段】
【００１５】
かかる課題を解決するため本発明においては、それぞれサイズの異なる複数種類の長方形の紙葉類のうち長辺が最も長い長辺最長紙葉類の当該長辺の長さに応じた搬送路幅で形成された搬送路と、搬送路に搬送路幅方向に沿って同軸線上に２個のみ配置され、紙葉類を搬送路幅方向と直交する搬送方向へ搬送するための第１ローラ及び第２ローラとを設け、第１ローラを、ローラ幅方向の中心が、搬送路における搬送路幅方向の搬送路幅一端から搬送路幅他端側の、複数種類の紙葉類のうち長辺が最も短い長辺最短紙葉類の当該長辺の長さの位置よりも搬送路幅一端寄りに位置するように配置し、第２ローラを、第１ローラの配置位置よりも搬送路幅一端側でローラ幅方向の中心が、搬送路幅他端から搬送路幅一端側の長辺最短紙葉類の長辺の長さの位置よりも搬送路幅他端寄りに位置するように配置するようにした。
【００１６】
従って本発明では、搬送路においてサイズの異なる長方形の紙葉類がそれぞれ一方の長辺を搬送方向に向ける搬送姿勢で搬送路幅方向の何処を通る場合でも、構成を煩雑化させることなく製造コストを抑制し得る第１ローラ及び第２ローラにより当該紙葉類を短辺寄りの部分の浮き上がりと共に搬送路内での引っ掛かりを抑えて搬送することができる。
【発明の効果】
【００１７】
本発明によれば、それぞれサイズの異なる複数種類の長方形の紙葉類のうち長辺が最も長い長辺最長紙葉類の当該長辺の長さに応じた搬送路幅で形成された搬送路と、搬送路に搬送路幅方向に沿って同軸線上に２個のみ配置され、紙葉類を搬送路幅方向と直交する搬送方向へ搬送するための第１ローラ及び第２ローラとを設け、第１ローラを、ローラ幅方向の中心が、搬送路における搬送路幅方向の搬送路幅一端から搬送路幅他端側の、複数種類の紙葉類のうち長辺が最も短い長辺最短紙葉類の当該長辺の長さの位置よりも搬送路幅一端寄りに位置するように配置し、第２ローラを、第１ローラの配置位置よりも搬送路幅一端側でローラ幅方向の中心が、搬送路幅他端から搬送路幅一端側の長辺最短紙葉類の長辺の長さの位置よりも搬送路幅他端寄りに位置するように配置することにより、搬送路においてサイズの異なる長方形の紙葉類がそれぞれ一方の長辺を搬送方向に向ける搬送姿勢で搬送路幅方向の何処を通る場合でも、構成を煩雑化させることなく製造コストを抑制し得る第１ローラ及び第２ローラにより当該紙葉類を短辺寄りの部分の浮き上がりと共に搬送路内での引っ掛かりを抑えて搬送することができ、かくしてサイズの異なる長方形の紙葉類の何れも一方の長辺を搬送方向に向ける搬送姿勢で的確に搬送し得る紙葉類搬送装置及び紙葉類取扱装置を実現することができる。
【図面の簡単な説明】
【００１８】
【図１】本発明による現金自動預払機の外観構成の第１の実施の形態を示す略線的斜視図である。
【図２】第１の実施の形態による紙幣処理ユニットの構成を示す略線的側面図である。
【図３】第１の実施の形態による第１紙幣搬送部の構成（１）を示す略線的上面図である。
【図４】第１の実施の形態による第１紙幣搬送部の構成（２）を示す略線的背面図である。
【図５】第１の実施の形態による第１紙幣搬送部の構成（３）を示す略線的側面図である。
【図６】第１紙幣搬送部による紙幣の搬送の説明に供する略線的側面図である。
【図７】第１紙幣搬送部の搬送方向に対するローラの配置位置（１）の説明に供する略線的側面図である。
【図８】第１紙幣搬送部の搬送方向に対するローラの配置位置（２）の説明に供する略線的上面図である。
【図９】第１紙幣搬送部の搬送路幅方向に対するローラの配置位置（１）の説明に供する略線的上面図である。
【図１０】第１紙幣搬送部の搬送路幅方向に対するローラの配置位置（２）の説明に供する略線的背面図である。
【図１１】第２の実施の形態による紙幣処理ユニットの構成を示す略線的側面図である。
【図１２】第２の実施の形態による第１紙幣搬送部の構成（１）を示す略線的上面図である。
【図１３】第２の実施の形態による第１紙幣搬送部の構成（２）を示す略線的背面図である。
【図１４】第２の実施の形態による第１紙幣搬送部の構成（３）を示す略線的側面図である。
【図１５】第１紙幣搬送部の搬送路幅方向に対する通過残留センサの配置位置（１）の説明に供する略線的上面図である。
【図１６】第１紙幣搬送部の搬送路幅方向に対する通過残留センサの配置位置（２）の説明に供する略線的背面図である。
【図１７】他の実施の形態による第１紙幣搬送部の構成（１）を示す略線的上面図である。
【図１８】他の実施の形態による第１紙幣搬送部の構成（２）を示す略線的側面図である。
【図１９】他の実施の形態による第１紙幣搬送部の構成（１）を示す略線的上面図である。
【図２０】他の実施の形態による第１紙幣搬送部の構成（２）を示す略線的側面図である。
【図２１】他の実施の形態による第１乃至第３紙幣搬送部の構成（１）を示す略線的上面図である。
【図２２】他の実施の形態による第１乃至第３紙幣搬送部の構成（２）を示す略線的背面図である。
【図２３】他の実施の形態による一時保留部の構成（１）を示す略線的側面図である。
【図２４】他の実施の形態による一時保留部の構成（２）を示す略線的正面図である。
【発明を実施するための形態】
【００１９】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００２０】
（１）第１の実施の形態
（１−１）現金自動預払機の外観構成
図１において、１は全体として本発明を適用した、例えば、各国のサイズ（すなわち、長辺の長さや短辺の長さ）の異なる長方形の紙幣を扱うことのできる現金自動預払機の外観構成を示す。かかる現金自動預払機１は、略箱型の筐体（以下、これを預払機筐体とも呼ぶ）２を有している。
【００２１】
因みに、以下の説明では、現金自動預払機１を、預払機筐体２の前面２Ａと対峙して見た場合の図中に矢印ａ１で示す左の方向を、左方向とも呼び、当該左方向とは逆の方向を、右方向とも呼ぶ。
【００２２】
また、以下の説明では、現金自動預払機１を、預払機筐体２の前面２Ａと対峙して見た場合の図中に矢印ｂ１で示す上の方向を、上方向とも呼び、当該上方向とは逆の方向を、下方向とも呼ぶ。
【００２３】
さらに、以下の説明では、現金自動預払機１を、預払機筐体２の前面２Ａと対峙して見た場合の図中に矢印ｃ１で示す手前の方向を、前方向とも呼び、当該前方向とは逆の方向を、後方向とも呼ぶ。
【００２４】
預払機筐体２の前側上端部には、前面２Ａよりも後面２Ｂ側に凹むように略Ｌ字状に形成されたフロントパネル３が設けられている。
【００２５】
フロントパネル３において上方向に向くほぼ水平な上向パネル３Ａには、例えば、左寄りの所定位置に、種々の操作画像の表示及び表面へのタッチ操作が可能なタッチスクリーン４が設けられている。
【００２６】
またフロントパネル３の上向パネル３Ａには、例えば、右寄りの所定位置に、長方形の紙幣を投入し、また取り出すための紙幣投入取出部５が設けられている。
【００２７】
一方、フロントパネル３において前方向に向くほぼ垂直な前向パネル３Ｂには、例えば、左寄りの所定位置に、取引の際に通帳を挿入し、また当該通帳や取引明細書を排出するための通帳挿入排出口７が設けられている。
【００２８】
またフロントパネル３において前向パネル３Ｂには、例えば、右寄りの所定位置に、取引の際にキャッシュカードやクレジットカード等の種々のカードを挿入及び排出するためのカード挿入排出口８も設けられている。
【００２９】
さらに預払機筐体２内には、右寄りに、後述する紙幣の入金処理や出金処理を行うための紙幣処理ユニット１０が収納されている。
【００３０】
現金自動預払機１は、係る構成のもと、タッチスクリーン４に操作画像を表示すると共に、顧客によるタッチスクリーン４の表面へのタッチ操作に応じて操作画像を適宜切り換えて表示する。
【００３１】
これにより現金自動預払機１は、顧客に操作画像を介して、紙幣の預け入れのような入金や払い出しのような出金等の所望の取引の手順を案内する。
【００３２】
そして現金自動預払機１は、顧客に、その案内に従って通帳挿入排出口７やカード挿入排出口８に通帳やカードを挿入させ、また紙幣投入取出部５に入金用の紙幣を投入させる。
【００３３】
また現金自動預払機１は、顧客に、その案内に従って通帳挿入排出口７やカード挿入排出口８から排出した通帳や取引明細書、カードを受け取らせ、紙幣投入取出部５から出金用の紙幣を取り出させる。このようにして現金自動預払機１は、顧客が所望する紙幣の入金や出金等の取引を行うことができる。
【００３４】
（１−２）紙幣処理ユニットの構成
次いで、現金自動預払機１の預払機筐体２内に設けられた紙幣処理ユニット１０の構成について説明する。図２に示すように、紙幣処理ユニット１０は、上前端部に上述の紙幣投入取出部５が配置されている。
【００３５】
因みに、紙幣投入取出部５には、上端に開口部が形成され、当該開口部に対しシャッタ５Ａが前後にスライドするようにして開閉可能に設けられている。
【００３６】
また紙幣処理ユニット１０は、紙幣投入取出部５の後に、紙幣鑑別用の各種センサを有する鑑別部１１が配置されると共に、当該鑑別部１１の後に紙幣を一時的に保持する一時保留部１２が配置されている。
【００３７】
さらに紙幣処理ユニット１０は、紙幣投入取出部５、鑑別部１１及び一時保留部１２の下に、それぞれ紙幣を金種別に収納する複数の紙幣収納繰出庫１３乃至１６が前から後へ順に並べて配置されている。
【００３８】
さらに紙幣処理ユニット１０は、複数の紙幣収納繰出庫１３乃至１６のうち最も後に位置する紙幣収納繰出庫１６のさらに後に、補充回収部１７が着脱可能に装着されている。
【００３９】
因みに、補充回収部１７内には、複数の紙幣収納繰出庫１３乃至１６に対して補充回収する紙幣を収納する紙幣収納庫１７Ａが設けられている。
【００４０】
また補充回収部１７内には、紙幣投入取出部５から顧客により取り忘れられた紙幣を収納する取忘庫１７Ｂも設けられている。
【００４１】
さらに補充回収部１７内には、破損している紙幣や折れ曲がっている紙幣等のような異常な紙幣（以下、これを特にリジェクト紙幣とも呼ぶ）を収納するためのリジェクト庫１７Ｃも設けられている。
【００４２】
さらに紙幣処理ユニット１０は、紙幣投入取出部５、鑑別部１１及び複数の紙幣収納繰出庫１３乃至１５の間に紙幣を、適宜搬送先を切り換えて搬送するための第１搬送路１８Ａを形成する第１紙幣搬送部１８が配置され、当該第１搬送路１８Ａが紙幣投入取出部５、鑑別部１１及び複数の紙幣収納繰出庫１３乃至１５に接続されている。
【００４３】
さらに紙幣処理ユニット１０は、鑑別部１１、第１紙幣搬送部１８、一時保留部１２、紙幣収納繰出庫１６及び補充回収部１７の間に紙幣を、適宜搬送先を切り換えて搬送するための第２搬送路１９Ａを形成する第２紙幣搬送部１９が配置され、当該第２搬送路１９Ａが鑑別部１１、第１搬送路１８Ａ、一時保留部１２、紙幣収納繰出庫１６及び補充回収部１７に接続されている。
【００４４】
さらにまた紙幣処理ユニット１０は、紙幣投入取出部５、第２紙幣搬送部１９及び一時保留部１２の間に紙幣を、適宜搬送先を切り換えて搬送するための第３搬送路２０Ａを形成する第３紙幣搬送部２０が配置され、当該第３搬送路２０Ａが紙幣投入取出部５、第２搬送路１９Ａ及び一時保留部１２に接続されている。
【００４５】
これにより紙幣処理ユニット１０は、紙幣投入取出部５、鑑別部１１、一時保留部１２、複数の紙幣収納繰出庫１３乃至１６及び補充回収部１７の間で第１乃至第３搬送路１８Ａ乃至２０Ａを介して紙幣を搬送することができる。
【００４６】
ところで、紙幣処理ユニット１０は、長方形の紙幣に対する単位時間当りの搬送枚数を極力増やすために、第１乃至第３搬送路１８Ａ乃至２０Ａを介して当該紙幣を、一方の短辺を左側に位置させ、かつ他方の短辺を右側に位置させて（すなわち、紙幣の長手方向を左方向とほぼ平行にして）、一方の長辺を搬送方向に向ける搬送姿勢で搬送する。
【００４７】
因みに、以下の説明では、長方形の紙幣の長手方向（すなわち、紙幣の長辺へ平行な方向）を、紙幣長手方向とも呼び、当該紙幣の短手方向（すなわち、紙幣の短辺と平行な方向）を、紙幣短手方向とも呼ぶ。また、以下の説明では、長方形の紙幣の一面及び他面を、共に紙幣面とも呼ぶ。
【００４８】
さらに、以下の説明では、長方形の紙幣を搬送する際の、当該紙幣の一方の長辺を搬送方向に向ける搬送姿勢を、長辺向搬送姿勢とも呼ぶ。
【００４９】
よって紙幣処理ユニット１０は、紙幣投入取出部５、鑑別部１１、一時保留部１２、複数の紙幣収納繰出庫１３乃至１６及び補充回収部１７において紙幣を、その長辺向搬送姿勢に応じて一方の短辺を左側に位置させ、かつ他方の短辺を右側に位置させた（すなわち、紙幣長手方向を左方向とほぼ平行にした）姿勢で取り扱っている。
【００５０】
実際に預払機筐体２内には、現金自動預払機１全体を統括制御して紙幣処理ユニット１０において紙幣の入金処理及び出金処理等を実行する制御部（図示せず）が設けられている。
【００５１】
これにより制御部は、紙幣の入金時、顧客により紙幣投入取出部５に入金用の１又は複数の紙幣が投入されると、当該紙幣投入取出部５から１又は複数の紙幣を１枚ずつ繰り出し第１搬送路１８Ａを介して鑑別部１１へ搬送して、当該鑑別部１１において、その紙幣の金種や状態等を鑑別させる。
【００５２】
その結果、制御部は、鑑別部１１から正常であると鑑別されて繰り出された紙幣については、第２搬送路１９Ａ及び第３搬送路２０Ａを順次介して一時保留部１２へ搬送して一時的に保持させることにより、当該紙幣の入金を保留する。
【００５３】
また制御部は、鑑別部１１から破損や折れ等により異常であると鑑別されて繰り出された紙幣については、リジェクト紙幣として第２搬送路１９Ａ及び第３搬送路２０Ａを順次介して紙幣投入取出部５へ搬送することにより、顧客に当該紙幣投入取出部５から取り出させるようにして返却する。
【００５４】
このようにして制御部は、鑑別部１１において、紙幣投入取出部５内に投入された入金用の紙幣が全て鑑別されると、正常であると鑑別された紙幣の総額（すなわち、入金の金額）を、タッチスクリーン４を介して顧客に提示する。
【００５５】
その結果、制御部は、入金の金額を確認した顧客によりタッチスクリーン４を介して紙幣の入金が指示されると、一時保留部１２から一時的に保持していた紙幣を１枚ずつ繰り出し第３搬送路２０Ａ及び第２搬送路１９Ａを順次介して鑑別部１１へ搬送して、当該鑑別部１１において再び、その紙幣の金種や状態等を鑑別させる。
【００５６】
そして制御部は、鑑別部１１から正常であると鑑別されて繰り出された紙幣については、第１搬送路１８Ａ及び第２搬送路１９Ａを順次介して当該紙幣の金種に応じた紙幣収納繰出庫１３乃至１６へ搬送して収納する。
【００５７】
ただし、制御部は、この際、鑑別部１１から異常であると鑑別されて繰り出された紙幣については、リジェクト紙幣として第１搬送路１８Ａ及び第２搬送路１９Ａを順次介して補充回収部１７へ搬送してリジェクト庫１７Ｃへ収納することにより、その後の出金処理には用いないようにする。
【００５８】
因みに、制御部は、この際、紙幣投入取出部５へ戻したリジェクト紙幣を顧客が取り忘れて立ち去ると、当該紙幣投入取出部５からリジェクト紙幣を１枚ずつ繰り出し第１搬送路１８Ａを介して鑑別部１１へ搬送して金種や状態等を改めて鑑別した後、さらに第２搬送路１９Ａを介して補充回収部１７へ搬送することにより取忘庫１７Ｂへ収納する。
【００５９】
制御部は、このようにして紙幣処理ユニット１０において紙幣の入金処理を実行して、顧客の所望する取引としての紙幣の入金を行うことができる。
【００６０】
一方、制御部は、紙幣の出金時、例えば、顧客によりタッチスクリーン４を介して出金の金額が指定されると、紙幣収納繰出庫１３乃至１６から、当該顧客により指定された金額分の紙幣を１枚ずつ繰り出し第２搬送路１９Ａ及び第１搬送路１８Ａを順次介して鑑別部１１へ搬送して、当該鑑別部１１において紙幣の金種や状態等を鑑別させる。
【００６１】
その結果、制御部は、鑑別部１１から正常であると鑑別されて繰り出された紙幣については、第２搬送路１９Ａ及び第３搬送路２０Ａを順次介して紙幣投入取出部５へ搬送する。
【００６２】
ただし、制御部は、この際、鑑別部１１から異常であると鑑別されて繰り出された紙幣については、リジェクト紙幣として第２搬送路１９Ａを介して補充回収部１７へ搬送してリジェクト庫１７Ｃへ収納することにより、その後の出金処理には用いないようにする。
【００６３】
そして制御部は、紙幣投入取出部５に、出金用に指定された金額分の紙幣を搬送し終えると、顧客に当該紙幣投入取出部５から、その出金用に指定された金額分の紙幣を取り出させるようにして引き渡す。
【００６４】
因みに、制御部は、この際、紙幣投入取出部５に顧客により取り忘れられた紙幣があると、当該紙幣投入取出部５から、その紙幣を１枚ずつ繰り出し第２搬送路１９Ａを介して鑑別部１１へ搬送して金種や状態等を改めて鑑別した後、さらに第２搬送路１９Ａを介して補充回収部１７へ搬送することにより取忘庫１７Ｂへ収納する。
【００６５】
制御部は、このようにして紙幣処理ユニット１０において紙幣の出金処理を実行して、顧客の所望する取引としての紙幣の出金を行うことができる。
【００６６】
また制御部は、紙幣の補充時、補充回収部１７の紙幣収納庫１７Ａから紙幣を１枚ずつ繰り出し第２搬送路１９Ａを介して鑑別部１１へ搬送して、当該鑑別部１１において紙幣の金種や状態等を鑑別させる。
【００６７】
その結果、制御部は、鑑別部１１から正常であると鑑別されて繰り出された紙幣については、第１搬送路１８Ａ及び第２搬送路１９Ａを順次介して、その金種に応じた紙幣収納繰出庫１３乃至１６へ搬送して収納する。
【００６８】
ただし、制御部は、この際、鑑別部１１から異常であると鑑別されて繰り出された紙幣については、リジェクト紙幣として第１搬送路１８Ａ及び第２搬送路１９Ａを順次介して補充回収部１７へ戻すように搬送してリジェクト庫１７Ｃに収納する。
【００６９】
制御部は、このようにして紙幣処理ユニット１０において紙幣の補充処理を実行して、複数の紙幣収納繰出庫１３乃至１６に出金処理に用いる紙幣を補充することができる。
【００７０】
さらに制御部は、紙幣の回収時、紙幣収納繰出庫１３乃至１６から紙幣を１枚ずつ繰り出し第２搬送路１９Ａ及び第１搬送路１８Ａを順次介して鑑別部１１へ搬送して、当該鑑別部１１において紙幣の金種や状態等を鑑別させる。
【００７１】
その結果、制御部は、鑑別部１１から正常であると鑑別されて繰り出された紙幣については、第２搬送路１９Ａを介して補充回収部１７へ搬送して紙幣収納庫１７Ａに収納する。
【００７２】
ただし、制御部は、この際、鑑別部１１から異常であると鑑別されて繰り出された紙幣については、リジェクト紙幣として第２搬送路１９Ａを介して補充回収部１７へ搬送してリジェクト庫１７Ｃに収納する。
【００７３】
制御部は、このようにして紙幣処理ユニット１０において紙幣の回収処理を実行して、複数の紙幣収納繰出庫１３乃至１６から入金処理によって収納していた紙幣を回収することができる。
【００７４】
（１−３）紙幣搬送部の構成
次いで、上述の第１乃至第３紙幣搬送部１８乃至２０の構成について説明する。ただし、第１乃至第３紙幣搬送部１８乃至２０は、基本的には同様に構成されているため、以下には、第１紙幣搬送部１８の構成について説明し、他の第２及び第３紙幣搬送部１９、２０の構成については説明を省略する。
【００７５】
また第１紙幣搬送部１８の構成として、以下には、例えば、紙幣投入取出部５と鑑別部１１との間の部分の構成を説明し、他の部分の構成については、当該紙幣投入取出部５と鑑別部１１との間の部分と基本的には同様であるため説明を省略する。
【００７６】
図３乃至図５に示すように、第１紙幣搬送部１８は、例えば、互いの一面２５Ａ、２６Ａを平行にして配置された略平板状の一対の搬送フレーム２５、２６を有している。
【００７７】
一方の搬送フレーム２５は、一面２５Ａを右に向けて配置されている。また他方の搬送フレーム２６は、一面２６Ａを左に向けて一方の搬送フレーム２５の一面２５Ａと対向させて配置されている。
【００７８】
因みに、以下の説明では、一対の搬送フレーム２５、２６のうち、一面２５Ａを右に向けることで左側に位置する一方の搬送フレーム２５を、左搬送フレーム２５とも呼ぶ。
【００７９】
また、以下の説明では、一対の搬送フレーム２５、２６のうち、一面２６Ａを左に向けることで右側に位置する他方の搬送フレーム２６を、右搬送フレーム２６とも呼ぶ。
【００８０】
ところで、第１紙幣搬送部１８において、このように平行に配置された一対の左搬送フレーム２５及び右搬送フレーム２６の互いの一面２５Ａ、２６Ａ間の距離は、後述するように当該第１紙幣搬送部１８が形成する第１搬送路１８Ａの幅となるものである。
【００８１】
よって、以下の説明では、一対の左搬送フレーム２５及び右搬送フレーム２６の互いの一面２５Ａ、２６Ａ間の距離を、搬送路幅とも呼ぶ。
【００８２】
また、以下の説明では、左搬送フレーム２５の一面２５Ａから右搬送フレーム２６の一面２６Ａへ向かう右方向、及び当該右搬送フレーム２６の一面２６Ａから左搬送フレーム２５の一面２５Ａへ向かう左方向を、まとめて搬送路幅方向とも呼ぶ。
【００８３】
そして左搬送フレーム２５及び右搬送フレーム２６の間には、略偏平矩形状の一対の搬送ガイド２７、２８が互いの一面２７Ａ、２８Ａを平行にし、かつ当該一対の搬送ガイド２７、２８の長手方向を後方向（及び前方向）と平行にして設けられている。
【００８４】
この場合、一方の搬送ガイド２７は、一面２７Ａを下に向けた姿勢で、左側面及び右側面が左搬送フレーム２５の一面２５Ａ及び右搬送フレーム２６の一面２６Ａに接合されている。
【００８５】
また他方の搬送ガイド２８は、一面２８Ａを上に向けて一方の搬送ガイド２７の一面２７Ａと例えば、数［ｍｍ］程度の間隙を空けて対向させた姿勢で、左側面及び右側面が左搬送フレーム２５の一面２５Ａ及び右搬送フレーム２６の一面２６Ａに接合されている。
【００８６】
因みに、以下の説明では、一対の搬送ガイド２７、２８のうち、一面２７Ａを下に向けることで上側に位置する一方の搬送ガイド２７を、上搬送ガイド２７とも呼ぶ。
【００８７】
また、以下の説明では、一対の搬送ガイド２７、２８のうち、一面２８Ａを上に向けることで下側に位置する他方の搬送ガイド２８を、下搬送ガイド２８とも呼ぶ。
【００８８】
さらに、以下の説明では、上搬送ガイド２７の一面２７Ａ及び下搬送ガイド２８の一面２８Ａの間隙を、上下ガイド間隙とも呼ぶ。
【００８９】
なお、第１紙幣搬送部１８において、このように平行に配置された一対の上搬送ガイド２７及び下搬送ガイド２８の長手方向（この場合は後方向及び前方向と平行な長手方向）は、後述するように当該第１紙幣搬送部１８が形成する第１搬送路１８Ａを介して長方形の紙幣を搬送する際の搬送方向でもある。
【００９０】
すなわち、第１紙幣搬送部１８において平行に配置された一対の上搬送ガイド２７及び下搬送ガイド２８の長手方向は、第１搬送路１８Ａを介して長方形の紙幣を搬送する際の当該紙幣の一方の長辺を向ける搬送方向でもある。
【００９１】
これに加え左搬送フレーム２５及び右搬送フレーム２６は、下搬送ガイド２８の一面２８Ａよりも下側に、図示しないローラ回動軸（以下、これを下ローラ回動軸とも呼ぶ）を、搬送路幅方向と平行にして矢印ｄ１に示す一回転方向、及びこれとは逆の他回転方向へ回動可能に支持している。
【００９２】
そして下ローラ回動軸には、例えば、２個のローラ（以下、これを下搬送ローラとも呼ぶ）３０、３１が、その中心に穿設された孔部を介して所定の間隔で取り付けられている。
【００９３】
この場合、２個の下搬送ローラ３０、３１は、等しい幅（例えば、５［ｍｍ］乃至２０［ｍｍ］程度）を有し、周側面が平らに形成されている。
【００９４】
また２個の下搬送ローラ３０、３１は、周側面の上側の部分を、下搬送ガイド２８の他面に穿設された孔部２８ＢＸ、２８ＢＹに下から挿入するようにして上下ガイド間隙に入り込ませている。
【００９５】
さらに左搬送フレーム２５及び右搬送フレーム２６は、下ローラ回動軸の真上となる上搬送ガイド２７の一面２７Ａよりも上側に、図示しないローラ回動軸（以下、これを上ローラ回動軸とも呼ぶ）を、搬送路幅方向と平行にして一回転方向及び他回転方向へ回動可能に支持している。
【００９６】
すなわち、左搬送フレーム２５及び右搬送フレーム２６は、下ローラ回動軸及び上ローラ回動軸を、共に搬送路幅方向と平行にし、かつ上搬送ガイド２７及び下搬送ガイド２８の一面２７Ａ、２８Ａと直交する方向（この場合は上方向及び下方向であり、以下、これらをまとめて搬送路垂直方向とも呼ぶ）に沿って対向させて支持している。
【００９７】
そして上ローラ回動軸には、例えば、２個のローラ（以下、これを上搬送ローラとも呼ぶ）３２、３３が、その中心に穿設された孔部を介して下搬送ローラ３０、３１と対向させて取り付けられている。
【００９８】
この場合、２個の上搬送ローラ３２、３３は、下搬送ローラ３０、３１と等しい幅を有し、周側面が平らに形成されている。
【００９９】
また２個の上搬送ローラ３２、３３は、周側面の下側の部分を、上搬送ガイド２７の他面２７Ｂに穿設された孔部２７ＢＸ、２７ＢＹに上から挿入するようにして上下ガイド間隙に入り込ませて、対向する下搬送ローラ３０、３１の周側面の上側の部分に押し付けている。
【０１００】
このようにして第１紙幣搬送部１８は、左搬送フレーム２５及び右搬送フレーム２６の間に、搬送路幅方向と平行な下ローラ回動軸及び上ローラ回動軸を介して２個の下搬送ローラ３０、３１及び２個の上搬送ローラ３２、３３が搬送路垂直方向に沿って対向配置されている。
【０１０１】
因みに、以下の説明では、第１紙幣搬送部１８において、このように搬送路幅方向と平行な下ローラ回動軸及び上ローラ回動軸を介して搬送路垂直方向に沿って対向配置された２個の下搬送ローラ３０、３１及び２個の上搬送ローラ３２、３３を、一組の下搬送ローラ３０、３１及び上搬送ローラ３２、３３とも呼ぶ。
【０１０２】
さらに第１紙幣搬送部１８は、その一組の下搬送ローラ３０、３１及び上搬送ローラ３２、３３の後側や前側（すなわち、搬送方向に沿って紙幣を搬送する際の上流側及び下流側）にも、同様に１又は複数組の下搬送ローラ３４、３５及び上搬送ローラ３６、３７が順次、搬送路幅方向と平行な下ローラ回動軸及び上ローラ回動軸を介して対向配置されている。
【０１０３】
そして第１紙幣搬送部１８は、図示しない搬送駆動モータの出力軸が複数のギアを介して例えば、複数の下ローラ回動軸に順次連結されている。
【０１０４】
これにより第１紙幣搬送部１８は、上述の制御部により搬送駆動モータが駆動され複数の下ローラ回動軸が一回転方向へ回転すると、複数の下搬送ローラ３０、３１、３４、３５を、当該下ローラ回動軸を中心にして一回転方向へ回転させると共に、これに連動させて上搬送ローラ３２、３３、３６、３７を、上ローラ回動軸を中心にして逆の他回転方向へ回転させることができる。
【０１０５】
また第１紙幣搬送部１８は、上述の制御部により搬送駆動モータが駆動され複数の下ローラ回動軸が他回転方向へ回転すると、複数の下搬送ローラ３０、３１、３４、３５を、当該下ローラ回動軸を中心にして他回転方向へ回転させると共に、これに連動させて上搬送ローラ３２、３３、３６、３７を、上ローラ回動軸を中心にして逆の一回転方向へ回転させることができる。
【０１０６】
このようにして第１紙幣搬送部１８は、左搬送フレーム２５及び右搬送フレーム２６と、上搬送ガイド２７及び下搬送ガイド２８との間に（すなわち、上下ガイド間隙として）、複数組の下搬送ローラ３０、３１、３４、３５及び上搬送ローラ３２、３３、３６、３７によって紙幣を搬送する上述の第１搬送路１８Ａを形成している。
【０１０７】
実際、図６に示すように、第１紙幣搬送部１８は、紙幣投入取出部５から紙幣４０が繰り出される場合、搬送駆動モータの駆動に応じて、複数の下搬送ローラ３０、３１、３４、３５を、それぞれ下ローラ回動軸を中心にして他回転方向へ回転させる。
【０１０８】
また第１紙幣搬送部１８は、この際、複数の下搬送ローラ３０、３１、３４、３５の他回転方向への回転に連動させて、これに接触している上搬送ローラ３２、３３、３６、３７を、それぞれ上ローラ回動軸を中心にして逆の一回転方向へ回転させる。
【０１０９】
これにより第１紙幣搬送部１８は、紙幣投入取出部５から繰り出された紙幣４０を、複数組の下搬送ローラ３０、３１、３４、３５及び上搬送ローラ３２、３３、３６、３７の間に順に挟み込みながら送り出すようにして、この場合の搬送方向となる後側へ搬送することができる。
【０１１０】
また第１紙幣搬送部１８は、特に図示はしないが、鑑別部１１から紙幣４０が繰り出される場合、搬送駆動モータの駆動に応じて、複数の下搬送ローラ３０、３１、３４、３５を、それぞれ下ローラ回動軸を中心にして一回転方向へ回転させる。
【０１１１】
また第１紙幣搬送部１８は、この際、複数の下搬送ローラ３０、３１、３４、３５の一回転方向への回転に連動させて、これに接触している上搬送ローラ３２、３３、３６、３７を、それぞれ上ローラ回動軸を中心にして逆の他回転方向へ回転させる。
【０１１２】
これにより第１紙幣搬送部１８は、鑑別部１１から繰り出された紙幣４０を、複数組の下搬送ローラ３０、３１、３４、３５及び上搬送ローラ３２、３３、３６、３７の間に順に挟み込みながら送り出すようにして、この場合の搬送方向となる前側へ搬送することができる。
【０１１３】
係る構成に加え第１紙幣搬送部１８の場合、複数組の下搬送ローラ３０、３１、３４、３５及び上搬送ローラ３２、３３、３６、３７の配置位置が、現金自動預払機１で扱うことが想定される、それぞれサイズ（すなわち、紙幣４０の長辺の長さや短辺の長さ）の異なる紙幣４０の当該サイズに応じて選定されている。
【０１１４】
よって、以下には、第１紙幣搬送部１８における複数組の下搬送ローラ３０、３１、３４、３５及び上搬送ローラ３２、３３、３６、３７の配置位置として、搬送方向に対する配置位置と、搬送路幅方向に対する配置位置とを順番に説明する。
【０１１５】
まず、第１紙幣搬送部１８における複数組の下搬送ローラ３０、３１、３４、３５及び上搬送ローラ３２、３３、３６、３７の搬送方向に対する配置位置について説明する。
【０１１６】
第１紙幣搬送部１８は、紙幣搬送時、一組の下搬送ローラ３０、３１、３４、３５及び上搬送ローラ３２、３３、３６、３７を互いに逆回転させながら、これらの間に紙幣４０を挟み込むことで、その回転によって当該紙幣４０に搬送方向へ送るための力（以下、これを搬送力とも呼ぶ）を与えている。
【０１１７】
そして第１紙幣搬送部１８は、紙幣搬送時、紙幣４０を一組の下搬送ローラ３０、３１及び上搬送ローラ３２、３３の間から完全に送り出す前に（すなわち、まだ挟み込んでいる状態で）、これに隣接する他の一組の下搬送ローラ３４、３５及び上搬送ローラ３６、３７でも挟み込むようにすると、その紙幣４０を、搬送力を何ら途切れさせずに与えて搬送方向へ確実に搬送することができる。
【０１１８】
また第１紙幣搬送部１８は、紙幣搬送時、紙幣４０を一組の下搬送ローラ３０、３１及び上搬送ローラ３２、３３の間から送り出した直後に、これに隣接する他の一組の下搬送ローラ３４、３５及び上搬送ローラ３６、３７で挟み込み初めるようにしても、その紙幣４０を、搬送力を瞬間的に途切れさせるだけで、ほぼ連続的に与えて搬送方向へ確実に搬送することができる。
【０１１９】
このため図７及び図８に示すように、第１紙幣搬送部１８では、搬送方向に沿って順次隣接する一組の下搬送ローラ３０、３１、３４、３５の中心点Ｐ１、Ｐ２（すなわち、一回転方向及び他回転方向への回転の中心点）の当該搬送方向の間隔（以下、これを搬送方向ローラ間距離とも呼ぶ）をＬＥ１とし、現金自動預払機１で扱うことが想定される、サイズの異なる複数種類の紙幣４０のうち、短辺が最も短い紙幣（以下、これを短辺最短紙幣とも呼ぶ）４０Ａの当該短辺の長さをＬＳ１とすると、（１）式
【０１２０】
ＬＳ１≧ＬＥ１                                              ……（１）
【０１２１】
で表されるように、搬送方向ローラ間距離が短辺最短紙幣４０Ａの短辺の長さ以下に選定されている。
【０１２２】
また第１紙幣搬送部１８では、搬送方向に沿って順次隣接する一組の上搬送ローラ３２、３３、３６、３７の中心点Ｐ３、Ｐ４の搬送方向ローラ間距離（ＬＥ１）も、同様に短辺最短紙幣４０Ａの短辺の長さ（ＬＳ１）以下に選定されている。
【０１２３】
ただし、第１紙幣搬送部１８は、紙幣４０に搬送力を途切れさせずに与えるために、（１）式に従い一組の下搬送ローラ３０、３１、３４、３５及び上搬送ローラ３２、３３、３６、３７を搬送方向に沿って単に近接させて配置したのでは、これら下搬送ローラ３０、３１、３４、３５及び上搬送ローラ３２、３３、３６、３７の個数が著しく多くなり、構成が煩雑化すると共に製造コストが増大することになる。
【０１２４】
このため第１紙幣搬送部１８では、例えば、現金自動預払機１で扱うことが想定される短辺最短紙幣４０Ａが、短辺の長さが６２［ｍｍ］に選定されている欧州の５ユーロの紙幣である場合、搬送方向ローラ間距離が５５［ｍｍ］乃至６２［ｍｍ］程度に選定されている。
【０１２５】
より具体的には、紙幣４０は、流通により長辺部分や短辺部分が磨耗して長手方向や短手方向の長さが、当該紙幣４０本来の長さよりも僅かに（例えば、１［ｍｍ］程度）短くなる場合や、折れ癖により平坦になりづらいために見かけ上、長手方向や短手方向の長さが所定の長さ（すなわち、紙幣４０が平坦な場合の長手方向や短手方向の長さ）よりも短くなる場合がある。
【０１２６】
また第１紙幣搬送部１８では、紙幣４０に搬送力を途切れさせずに十分に与えるには、上述のように、搬送方向に沿って隣接する一組の下搬送ローラ３０、３１及び上搬送ローラ３２、３３から他の一組の下搬送ローラ３４、３５及び上搬送ローラ３６、３７へ紙幣４０を受け渡す際、一時的に一組の下搬送ローラ３０、３１及び上搬送ローラ３２、３３と、他の一組の下搬送ローラ３４、３５及び上搬送ローラ３６、３７との両方で紙幣４０を挟み込む必要がある。
【０１２７】
実際に第１紙幣搬送部１８では、一組の下搬送ローラ３０、３１及び上搬送ローラ３２、３３の間に紙幣４０の紙幣面において他方の長辺（すなわち、縁）から少なくとも２［ｍｍ］乃至３［ｍｍ］程度内側の部分を挟み込んだときに、他の一組の下搬送ローラ３４、３５及び上搬送ローラ３６、３７の間に紙幣４０の紙幣面において一方の長辺（すなわち、縁）から少なくとも２［ｍｍ］乃至３［ｍｍ］程度内側の部分を挟み込むようにする。
【０１２８】
これにより第１紙幣搬送部１８は、搬送方向に沿って隣接する一組の下搬送ローラ３０、３１及び上搬送ローラ３２、３３から他の一組の下搬送ローラ３４、３５及び上搬送ローラ３６、３７へ紙幣４０を受け渡す際、当該紙幣４０に搬送力を途切れさせずに十分に与えることができる。
【０１２９】
よって第１紙幣搬送部１８では、搬送方向ローラ間距離が、より好ましくは５６［ｍｍ］乃至５８［ｍｍ］程度に選定されている。
【０１３０】
このようにして第１紙幣搬送部１８は、一組の下搬送ローラ３０、３１、３４、３５及び上搬送ローラ３２、３３、３６、３７が搬送方向に沿って順次、その適宜選定された搬送方向ローラ間距離の間隔で配置されて、当該搬送方向に対する下搬送ローラ３０、３１、３４、３５及び上搬送ローラ３２、３３、３６、３７の配置個数が最適化されている。
【０１３１】
そして第１紙幣搬送部１８は、現金自動預払機１で扱うことが想定される短辺最短紙幣４０Ａの短辺の長さに応じて搬送方向ローラ間距離が選定されたことで、現金自動預払機１で扱うことが想定される、それぞれサイズの異なる紙幣４０の何れも十分な搬送力を与えて搬送することができる。
【０１３２】
次いで、第１紙幣搬送部１８における複数組の下搬送ローラ３０、３１、３４、３５及び上搬送ローラ３２、３３、３６、３７の搬送路幅方向に対する配置位置について説明する。
【０１３３】
ただし、第１紙幣搬送部１８における複数組の下搬送ローラ３０、３１、３４、３５及び上搬送ローラ３２、３３、３６、３７の搬送路幅方向に対する配置位置は、何れの一組についても等しいため、以下には一組の下搬送ローラ３０、３１及び上搬送ローラ３２、３３の配置位置について説明し、他の複数組の下搬送ローラ３４、３５及び上搬送ローラ３６、３７の配置位置については説明を省略する。
【０１３４】
図９及び図１０に示すように、第１紙幣搬送部１８は、搬送路幅（すなわち、左搬送フレーム２５の一面２５Ａ及び右搬送フレーム２６の一面２６Ａ間の距離）をＷＴ１とし、現金自動預払機１で扱うことが想定される、サイズの異なる複数種類の紙幣４０のうち、長辺が最も長い紙幣（以下、これを長辺最長紙幣とも呼ぶ）４０の当該長辺の長さをＬＬ１とすると、（２）式
【０１３５】
ＷＴ１＞ＬＬ１                                              ……（２）
【０１３６】
で表されるように、搬送路幅が長辺最長紙幣４０の長辺の長さよりもある程度（例えば、数［ｍｍ］乃至十数［ｍｍ］程度）長く選定されている。
【０１３７】
因みに、第１紙幣搬送部１８では、例えば、現金自動預払機１で扱うことが想定される長辺最長紙幣４０が、長辺の長さが１７７［ｍｍ］に選定されているインドの１０００ルピーの紙幣である場合、搬送路幅は、その１７７［ｍｍ］よりも数［ｍｍ］乃至十数［ｍｍ］程度長く選定されている。
【０１３８】
これにより第１紙幣搬送部１８は、第１搬送路１８Ａに、現金自動預払機１で扱うことが想定される、それぞれサイズの異なる紙幣４０を何れも長辺向搬送姿勢で通すことができる。
【０１３９】
ところで、第１紙幣搬送部１８では、このように搬送路幅を長辺最長紙幣４０の長辺の長さよりもある程度長く（広く）すると、長辺最長紙幣４０や他のサイズの紙幣４０が長辺向搬送姿勢で、第１搬送路１８Ａの中央部を通るように搬送される場合もあれば、第１搬送路１８Ａの左搬送フレーム２５寄りや右搬送フレーム２６寄りを通って搬送される場合もある。
【０１４０】
そして第１紙幣搬送部１８では、例えば、仮に搬送路幅方向に対し１個の下搬送ローラと１個の上搬送ローラとだけを対向配置すると、紙幣４０に対する下搬送ローラ及び上搬送ローラの挟込位置によっては、当該紙幣４０が、その挟み込みによって与えられる搬送力により第１搬送路１８Ａ内で一方の長辺を左搬送フレーム２５側や右搬送フレーム２６側へ向けるように搬送姿勢を変化させる可能性がある。
【０１４１】
これに対し第１紙幣搬送部１８では、搬送路幅方向に対し少なくとも２個以上の下搬送ローラ３０、３１と、少なくとも２個以上の上搬送ローラ３２、３３とを対向配置すると、これら下搬送ローラ３０、３１及び上搬送ローラ３２、３３により紙幣４０の少なくとも２箇所以上を同時に挟み込むことができ、その結果、紙幣４０を、長辺向搬送姿勢を変化させず的確に搬送し得るようになる。
【０１４２】
ただし、第１紙幣搬送部１８は、搬送路幅方向に対する下搬送ローラ３０、３１及び上搬送ローラ３２、３３の配置個数を多くするほど、構成が煩雑化すると共に製造コストが増大することになる。
【０１４３】
このため、第１紙幣搬送部１８では、搬送路幅方向に対する下搬送ローラ３０、３１の配置個数が２個に選定されると共に、上搬送ローラ３２、３３の配置個数も２個に選定されている。
【０１４４】
このようにして第１紙幣搬送部１８は、搬送路幅方向に対する下搬送ローラ３０、３１及び上搬送ローラ３２、３３の配置個数が最適化されている。
【０１４５】
そして第１紙幣搬送部１８では、紙幣搬送時、紙幣４０において極力、一方の短辺寄りを一方の下搬送ローラ３０及び上搬送ローラ３２で挟み込み、極力、他方の短辺寄りを他方の下搬送ローラ３１及び上搬送ローラ３３で挟み込むようにすると、当該紙幣４０を、短辺寄りの部分に対する浮き上がり（反り）と共に第１搬送路１８Ａ内での引っ掛かりを抑えて的確に搬送し得るようになる。
【０１４６】
このため第１紙幣搬送部１８は、２個の下搬送ローラ３０、３１が、第１搬送路１８Ａにおいて搬送路幅方向の中心を搬送方向に沿って通る仮想線（以下、これを搬送路中心線とも呼ぶ）ＶＬ１に対し線対称な位置に配置されている。
【０１４７】
また第１紙幣搬送部１８は、２個の上搬送ローラ３２、３３も、２個の下搬送ローラ３０、３１に対向させて、搬送路中心線ＶＬ１に対し線対称な位置に配置されている。
【０１４８】
ただし、第１紙幣搬送部１８では、紙幣４０に対し搬送用に十分な搬送力を与えるには、上述のように紙幣４０の長手方向の長さが短くなる場合があることを考慮すると、下搬送ローラ３０、３１の幅方向（すなわち、円形の一面及び他面間の幅に沿った方向）の中心と、上搬送ローラ３２、３３の幅方向の中心との間に当該紙幣４０の紙幣面において短辺（すなわち、縁）から少なくとも２［ｍｍ］乃至３［ｍｍ］程度内側の部分を挟み込む必要がある。
【０１４９】
因みに、以下の説明では、下搬送ローラ３０、３１及び上搬送ローラ３２、３３の幅方向を、ローラ幅方向とも呼び、当該下搬送ローラ３０、３１のローラ幅方向の中心と、上搬送ローラ３２、３３のローラ幅方向の中心とを、それぞれローラセンタとも呼ぶ。
【０１５０】
また、以下の説明では、左搬送フレーム２５の一面２５Ａである第１搬送路１８Ａの搬送路幅方向の一端を、搬送路幅左端とも呼び、右搬送フレーム２６の一面２６Ａである当該第１搬送路１８Ａの搬送路幅方向の他端を、搬送路幅右端とも呼ぶ。
【０１５１】
そして第１紙幣搬送部１８では、上述のように紙幣４０が長辺向搬送姿勢で、第１搬送路１８Ａの左搬送フレーム２５寄りや右搬送フレーム２６寄りを通って搬送される場合がある。
【０１５２】
このため第１紙幣搬送部１８では、例えば、搬送路幅左端から、搬送路幅右端側に位置する下搬送ローラ３１のローラセンタまでの距離（以下、これを第１幅左端ローラ間距離とも呼ぶ）をＷＣＬ１とし、現金自動預払機１で扱うことが想定される、サイズの異なる複数種類の紙幣４０のうち、長辺が最も短い紙幣（以下、これを長辺最短紙幣とも呼ぶ）４０Ｂの当該長辺の長さをＬＬ１とすると、（３）式
【０１５３】
ＬＬ１＞ＷＣＬ１                                            ……（３）
【０１５４】
で表されるように、第１幅左端ローラ間距離が長辺最短紙幣４０Ｂの長辺の長さよりも短く選定されている。
【０１５５】
また第１紙幣搬送部１８では、例えば、搬送路幅左端から、搬送路幅右端側に位置する上搬送ローラ３３のローラセンタまでの第１幅左端ローラ間距離（ＷＣＬ１）も、同様に長辺最短紙幣４０Ｂの長辺の長さ（ＬＬ１）よりも短く選定されている。
【０１５６】
さらに第１紙幣搬送部１８では、例えば、搬送路幅右端から、搬送路幅左端側に位置する下搬送ローラ３０のローラセンタまでの距離（以下、これを第１幅右端ローラ間距離とも呼ぶ）をＷＣＲ１とすると、（４）式
【０１５７】
ＬＬ１＞ＷＣＲ１                                            ……（４）
【０１５８】
で表されるように、第１幅右端ローラ間距離が長辺最短紙幣４０Ｂの長辺の長さよりも短く選定されている。
【０１５９】
そして第１紙幣搬送部１８では、上述のように２個の下搬送ローラ３０、３１が、搬送路中心線ＶＬ１に対し線対称な位置に配置されているため、（５）式
【０１６０】
ＷＣＬ１＝ＷＣＲ１                                          ……（５）
【０１６１】
で表されるように、第１幅左端ローラ間距離と第１幅右端ローラ間距離とが等しくなる。
【０１６２】
さらにまた第１紙幣搬送部１８では、例えば、搬送路幅右端から、搬送路幅左端側に位置する上搬送ローラ３２のローラセンタまでの第１幅右端ローラ間距離（ＷＣＲ１）も、同様に長辺最短紙幣４０Ｂの長辺の長さ（ＬＬ１）よりも短く選定されている。
【０１６３】
そして第１紙幣搬送部１８では、上述のように２個の上搬送ローラ３２、３３も、搬送路中心線ＶＬ１に対し線対称な位置に配置されているため、上述の（５）式で表されるように、この場合も第１幅左端ローラ間距離と第１幅右端ローラ間距離とが等しくなる。
【０１６４】
因みに、第１紙幣搬送部１８では、例えば、現金自動預払機１で扱うことが想定される長辺最短紙幣４０Ｂが、長辺の長さが１２０［ｍｍ］に選定されている欧州の５ユーロの紙幣である場合、第１幅左端ローラ間距離及び第１幅右端ローラ間距離は共に、その１２０［ｍｍ］よりも短く選定されている。
【０１６５】
これにより第１紙幣搬送部１８では、搬送路幅方向の２個の下搬送ローラ３０、３１のローラセンタ間の距離が必然的に、長辺最短紙幣４０Ｂの長辺の長さよりも短く選定されている。
【０１６６】
また第１紙幣搬送部１８では、搬送路幅方向の２個の下搬送ローラ３０、３１と対向する当該搬送路幅方向の２個の下搬送ローラ３０、３１のローラセンタ間の距離も必然的に、長辺最短紙幣４０Ｂの長辺の長さよりも短く選定されている。
【０１６７】
従って第１紙幣搬送部１８では、長辺最短紙幣４０Ｂが長辺向搬送姿勢で第１搬送路１８Ａの中央部を通るような場合、長辺最短紙幣４０Ｂの紙幣面内に、搬送路幅方向の２個の下搬送ローラ３０、３１のローラセンタ及び２個の上搬送ローラ３２、３３のローラセンタを位置させることができる。
【０１６８】
また第１紙幣搬送部１８では、長辺最短紙幣４０Ｂの一方の短辺や他方の短辺が搬送路幅左端や搬送路幅右端に位置するような場合でも、当該長辺最短紙幣４０Ｂの紙幣面内に、搬送路幅方向の２個の下搬送ローラ３０、３１のローラセンタ及び２個の上搬送ローラ３２、３３のローラセンタを位置させることができる。
【０１６９】
よって第１紙幣搬送部１８は、現金自動預払機１で扱うことが想定される長辺の異なる紙幣４０の何れを長辺向搬送姿勢で搬送する場合でも、これら紙幣４０を搬送路幅方向の２個の下搬送ローラ３０、３１及び２個の上搬送ローラ３２、３３により確実に２箇所で挟み込むようにして送り出すことができる。
【０１７０】
ただし、第１紙幣搬送部１８では、例えば、紙幣投入取出部５に複数の紙幣４０が長辺及び短辺の向きを揃えずに投入されると、当該紙幣４０を、一方の短辺を搬送方向に向けるような搬送姿勢で搬送するような場合がある。
【０１７１】
そして第１紙幣搬送部１８では、例えば、このように紙幣４０を、一方の短辺を搬送方向に向けるような搬送姿勢で搬送する際、当該紙幣４０が第１搬送路１８Ａの左搬送フレーム２５寄りや右搬送フレーム２６寄りを通るような場合がある。
【０１７２】
因みに、以下の説明では、長方形の紙幣を搬送する際の、当該紙幣の一方の短辺を搬送方向に向ける搬送姿勢を、短辺向搬送姿勢とも呼ぶ。
【０１７３】
また第１紙幣搬送部１８では、例えば、紙幣投入取出部５に、長手方向に対し二つ折りにされた（すなわち、長手方向の長さが半分となるように折り畳まれた）紙幣４０が投入されると、その二つ折りの紙幣４０を、そのまま搬送するような場合がある。
【０１７４】
そして第１紙幣搬送部１８では、例えば、二つ折りの紙幣４０を搬送する際、当該二つ折りの紙幣４０が第１搬送路１８Ａの左搬送フレーム２５寄りや右搬送フレーム２６寄りを通るような場合がある。
【０１７５】
よって第１紙幣搬送部１８では、例えば、搬送路幅左端から、当該搬送路幅左端側に位置する下搬送ローラ３０のローラセンタまでの距離（以下、これを第２幅左端ローラ間距離とも呼ぶ）をＷＣＬ２とし、短辺最短紙幣４０Ａの短辺の長さをＬＳ１とすると、（６）式
【０１７６】
ＬＳ１＞ＷＣＬ２                                            ……（６）
【０１７７】
で表されるように、第２幅左端ローラ間距離が短辺最短紙幣４０Ａの短辺の長さよりも短く選定されている。
【０１７８】
また第１紙幣搬送部１８では、例えば、搬送路幅左端から、当該搬送路幅左端側に位置する上搬送ローラ３２のローラセンタまでの第２幅左端ローラ間距離（ＷＣＬ２）も、同様に短辺最短紙幣４０Ａの短辺の長さ（ＬＳ１）よりも短く選定されている。
【０１７９】
さらに第１紙幣搬送部１８では、例えば、搬送路幅右端から、当該搬送路幅右端側に位置する下搬送ローラ３１のローラセンタまでの距離（以下、これを第２幅右端ローラ間距離とも呼ぶ）をＷＣＲ２とすると、（７）式
【０１８０】
ＬＳ１＞ＷＣＲ２                                            ……（７）
【０１８１】
で表されるように、第２幅右端ローラ間距離が短辺最短紙幣４０Ａの短辺の長さよりも短く選定されている。
【０１８２】
そして第１紙幣搬送部１８では、上述のように２個の下搬送ローラ３０、３１が、搬送路中心線ＶＬ１に対し線対称な位置に配置されているため、（８）式
【０１８３】
ＷＣＬ２＝ＷＣＲ２                                          ……（８）
【０１８４】
で表されるように、第２幅左端ローラ間距離と第２幅右端ローラ間距離とが等しくなる。
【０１８５】
さらにまた第１紙幣搬送部１８では、例えば、搬送路幅右端から、当該搬送路幅右端側に位置する上搬送ローラ３３のローラセンタまでの第２幅右端ローラ間距離（ＷＣＲ２）も、同様に短辺最短紙幣４０Ａの短辺の長さ（ＬＳ１）よりも短く選定されている。
【０１８６】
そして第１紙幣搬送部１８では、上述のように２個の上搬送ローラ３２、３３も、搬送路中心線ＶＬ１に対し線対称な位置に配置されているため、上述の（８）式で表されるように、この場合も第２幅左端ローラ間距離と第２幅右端ローラ間距離とが等しくなる。
【０１８７】
因みに、第１紙幣搬送部１８では、例えば、現金自動預払機１で扱うことが想定される短辺最短紙幣４０Ａが、短辺の長さが６２［ｍｍ］に選定されている欧州の５ユーロの紙幣である場合、第２幅左端ローラ間距離及び第２幅右端ローラ間距離は共に、その６２［ｍｍ］よりも短く選定されている。
【０１８８】
これにより第１紙幣搬送部１８では、短辺最短紙幣４０Ａの一方の長辺や他方の長辺が搬送路幅左端や搬送路幅右端に位置するような場合でも、当該短辺最短紙幣４０Ａの紙幣面内に、搬送路幅方向の２個の下搬送ローラ３０、３１及び２個の上搬送ローラ３２、３３のうち、１個の下搬送ローラ３０、３１及び１個の上搬送ローラ３２、３３を位置させることができる。
【０１８９】
よって第１紙幣搬送部１８は、現金自動預払機１で扱うことが想定される短辺の長さの異なる紙幣４０を短辺向搬送姿勢で搬送するような場合に、これら紙幣４０の何れが搬送路幅左端寄りや搬送路幅右端寄りを通っても、当該紙幣４０を搬送路幅方向の２個の下搬送ローラ３０、３１及び２個の上搬送ローラ３２、３３により少なくとも１箇所を確実に挟み込むようにして送り出すことができる。
【０１９０】
ところで、第１紙幣搬送部１８では、紙幣４０を短辺向搬送姿勢で搬送する際、当該紙幣４０が第１搬送路１８Ａの左搬送フレーム２５寄りや右搬送フレーム２６寄りを通る場合以外にも、第１搬送路１８Ａの中央部を通るような場合がある。
【０１９１】
さらにまた第１紙幣搬送部１８では、例えば、二つ折りの紙幣４０を搬送する際、当該二つ折りの紙幣４０が第１搬送路１８Ａの左搬送フレーム２５寄りや右搬送フレーム２６寄りを通る場合以外に、当該第１搬送路１８Ａの中央部を通るような場合もある。
【０１９２】
よって第１紙幣搬送部１８では、例えば、第１搬送路１８Ａの搬送路幅方向に沿って並ぶ２個の下搬送ローラ３０、３１のローラセンタ間の距離（以下、これを幅方向ローラ間距離とも呼ぶ）をＷＲ１とし、短辺最短紙幣４０Ａの短辺の長さをＬＳ１とすると、（９）式
【０１９３】
ＬＳ１＞ＷＲ１                                              ……（９）
【０１９４】
で表されるように、幅方向ローラ間距離が短辺最短紙幣４０Ａの短辺の長さよりも短く選定されている。
【０１９５】
また第１紙幣搬送部１８では、例えば、第１搬送路１８Ａの搬送路幅方向に沿って並ぶ２個の上搬送ローラ３２、３３の幅方向ローラ間距離（ＷＲ１）も、同様に短辺最短紙幣４０Ａの短辺の長さ（ＬＳ１）よりも短く選定されている。
【０１９６】
因みに、第１紙幣搬送部１８では、例えば、現金自動預払機１で扱うことが想定される短辺最短紙幣４０Ａが、短辺の長さが６２［ｍｍ］に選定されている欧州の５ユーロの紙幣である場合、幅方向ローラ間距離は、その６２［ｍｍ］よりも短く選定されている。
【０１９７】
これにより第１紙幣搬送部１８では、現金自動預払機１で扱うことが想定される短辺の長さの異なる紙幣４０の何れを短辺向搬送姿勢で搬送する場合でも、当該紙幣４０が第１搬送路１８Ａの中央部を通る際には搬送路幅方向の２個の下搬送ローラ３０、３１及び２個の上搬送ローラ３２、３３により２箇所で挟み込むようにして送り出すことができる。
【０１９８】
また第１紙幣搬送部１８では、現金自動預払機１で扱うことが想定される短辺の長さの異なる紙幣４０の何れを二つ折りのまま搬送するような場合でも、当該二つ折りの紙幣４０が第１搬送路１８Ａの中央部を通る際には搬送路幅方向の２個の下搬送ローラ３０、３１及び２個の上搬送ローラ３２、３３により２箇所で挟み込むようにして送り出すことができる。
【０１９９】
そして第１紙幣搬送部１８では、（１０）式
【０２００】
ＷＴ１＝ＷＣＬ２＋ＷＣＲ２＋ＷＲ１                        ……（１０）
【０２０１】
で表されるように、第２幅左端ローラ間距離、第２幅右端ローラ間距離及び幅方向ローラ間距離を合計した距離が上述の搬送路幅となる。
【０２０２】
よって第１紙幣搬送部１８では、実際に搬送路幅方向に対する２個の下搬送ローラ３０、３１、３４、３５の配置位置が、上述した（３）式、（４）式、（６）式、（７）式、（９）式及び（１０）式に示す搬送路幅方向に対するローラの配置位置の条件（以下、これを搬送路幅方向ローラ配置条件とも呼ぶ）を満たすように選定されている。
【０２０３】
また第１紙幣搬送部１８では、搬送路幅方向に対する２個の上搬送ローラ３２、３３、３６、３７の配置位置についても同様に、上述した（３）式、（４）式、（６）式、（７）式、（９）式及び（１０）式に示す搬送路幅方向ローラ配置条件を満たすように選定されている。
【０２０４】
すなわち、第１紙幣搬送部１８では、搬送路幅右端側の下搬送ローラ３１が、長辺向搬送姿勢の長辺最短紙幣４０Ｂの一方の短辺が搬送路幅左端に位置する場合にローラセンタを当該長辺最短紙幣４０Ｂの他方の短辺よりも紙幣面内に位置させ、短辺向搬送姿勢の短辺最短紙幣４０Ａの他方の長辺が搬送路幅右端に位置する場合にローラセンタを当該短辺最短紙幣４０Ａの一方の長辺よりも紙幣面内に位置させるように配置されている。
【０２０５】
また第１紙幣搬送部１８では、搬送路幅左端側の下搬送ローラ３０が、長辺向搬送姿勢の長辺最短紙幣４０Ｂの他方の短辺が搬送路幅右端に位置する場合にローラセンタを当該長辺最短紙幣４０Ｂの一方の短辺よりも紙幣面内に位置させ、短辺向搬送姿勢の短辺最短紙幣４０Ａの一方の長辺が搬送路幅左端に位置する場合にローラセンタを当該短辺最短紙幣４０Ａの他方の長辺よりも紙幣面内に位置させるように配置されている。
【０２０６】
さらに第１紙幣搬送部１８では、搬送路幅右端側の上搬送ローラ３３が、長辺向搬送姿勢の長辺最短紙幣４０Ｂの一方の短辺が搬送路幅左端に位置する場合にローラセンタを当該長辺最短紙幣４０Ｂの他方の短辺よりも紙幣面内に位置させ、短辺向搬送姿勢の短辺最短紙幣４０Ａの他方の長辺が搬送路幅右端に位置する場合にローラセンタを当該短辺最短紙幣４０Ａの一方の長辺よりも紙幣面内に位置させるように配置されている。
【０２０７】
さらにまた第１紙幣搬送部１８では、搬送路幅左端側の上搬送ローラ３２が、長辺向搬送姿勢の長辺最短紙幣４０Ｂの他方の短辺が搬送路幅右端に位置する場合にローラセンタを当該長辺最短紙幣４０Ｂの一方の短辺よりも紙幣面内に位置させ、短辺向搬送姿勢の短辺最短紙幣４０Ａの一方の長辺が搬送路幅左端に位置する場合にローラセンタを当該短辺最短紙幣４０Ａの他方の長辺よりも紙幣面内に位置させるように配置されている。
【０２０８】
因みに、第１紙幣搬送部１８では、例えば、現金自動預払機１で扱うことが想定される、それぞれサイズの異なる紙幣４０の中に、二つ折りにされた場合に１／２となる長辺の長さ（以下、これを長辺短縮長さとも呼ぶ）が、短辺最短紙幣４０Ａの短辺の長さよりも短くなる紙幣４０が存在すると、当該短辺最短紙幣４０Ａの短辺の長さよりも短い長辺短縮長さを考慮して、搬送路幅方向に対する２個の下搬送ローラ３０、３１及び２個の上搬送ローラ３２、３３の配置位置が選定されている。
【０２０９】
すなわち、第１紙幣搬送部１８では、短辺最短紙幣４０Ａの短辺の長さよりも長辺短縮長さが短いと、上述した（６）式、（７）式及び（９）式の短辺最短紙幣４０Ａの短辺の長さを、これよりも短い長辺短縮長さに置き換えるように変更し、その変更後の（６）式、（７）式及び（９）式と共に上述した（３）式、（４）式及び（１０）式に示す搬送路幅方向ローラ配置条件を満たすように、搬送路幅方向に対する２個の下搬送ローラ３０、３１及び２個の上搬送ローラ３２、３３の配置位置が選定されている。
【０２１０】
これにより第１紙幣搬送部１８は、現金自動預払機１で扱うことが想定される、それぞれサイズの異なる紙幣４０が長辺向搬送姿勢で紙幣投入取出部５や鑑別部１１から繰り出されると、その紙幣４０をサイズに関わらず、また第１搬送路１８Ａの搬送路幅方向に対し何処を通るのかにも関わらずに長辺向搬送姿勢のまま、搬送方向に沿って順次一組の下搬送ローラ３０、３１、３４、３５及び上搬送ローラ３２、３３、３６、３７により当該紙幣４０の２箇所を挟み込みながら送り出すようにして搬送することができる。
【０２１１】
また第１紙幣搬送部１８は、それぞれサイズの異なる紙幣４０が仮に短辺向搬送姿勢で紙幣投入取出部５や鑑別部１１から第１搬送路１８Ａの中央部を通るように繰り出されると、その紙幣４０をサイズに関わらずに短辺向搬送姿勢のまま、搬送方向に沿って順次一組の下搬送ローラ３０、３１、３４、３５及び上搬送ローラ３２、３３、３６、３７により２箇所を挟み込みながら送り出すようにして搬送することができる。
【０２１２】
さらに第１紙幣搬送部１８は、それぞれサイズの異なる紙幣４０が仮に短辺向搬送姿勢で紙幣投入取出部５や鑑別部１１から第１搬送路１８Ａの左搬送フレーム２５寄り（又は、右搬送フレーム２６寄り）を通るように繰り出されると、その紙幣４０を短辺向搬送姿勢で、搬送方向に沿って順次一組の下搬送ローラ３０、３１、３４、３５及び上搬送ローラ３２、３３、３６、３７により当該紙幣４０の少なくとも１箇所を挟み込みながら送り出すようにして搬送することができる。
【０２１３】
そして第１紙幣搬送部１８は、この際、仮に紙幣４０の短辺向搬送姿勢が一方の長辺を搬送方向へ向けるような搬送姿勢に変化すると、その変化に応じて当該紙幣４０に対する一組の下搬送ローラ３０、３４（３１、３５）及び上搬送ローラ３２、３６（３３、３７）による少なくとも１箇所の挟み込みを２箇所の挟み込みに切り換えることができる。
【０２１４】
よって第１紙幣搬送部１８は、このように紙幣４０の短辺向搬送姿勢が一方の長辺を搬送方向へ向けるような搬送姿勢に変化すると、当該紙幣４０を、その搬送姿勢の変化以降は搬送方向に沿って順次一組の下搬送ローラ３０、３１、３４、３５及び上搬送ローラ３２、３３、３６、３７により確実に紙幣４０の２箇所を挟み込みながら送り出すようにして搬送することができる。
【０２１５】
さらに第１紙幣搬送部１８は、それぞれサイズの異なる紙幣４０を仮に二つ折りの状態で搬送するような場合も、当該紙幣４０を短辺向搬送姿勢で搬送する場合と同様に搬送することができる。
【０２１６】
（１−４）第１の実施の形態の動作及び効果
以上の構成において、現金自動預払機１では、第１乃至第３紙幣搬送部１８乃至２０において第１乃至第３搬送路１８Ａ乃至２０Ａの搬送路幅を、当該現金自動預払機１で扱うことが想定される、それぞれサイズの異なる複数種類の紙幣４０のうち、長辺が最も長い長辺最長紙幣４０の当該長辺の長さに応じて選定した。
【０２１７】
そして現金自動預払機１では、第１乃至第３紙幣搬送部１８乃至２０において搬送路幅方向に沿って２個の下搬送ローラ３０、３１（３４、３５）を一方は搬送路幅方向の中心よりも搬送路幅左端寄りに配置し、他方を搬送路幅右端寄りに配置するようにした。
【０２１８】
実際に現金自動預払機１では、第１乃至第３紙幣搬送部１８乃至２０において搬送路幅左端側の下搬送ローラ３０（３４）をローラセンタが、搬送路幅右端から、当該現金自動預払機１で扱うことが想定される、それぞれサイズの異なる複数種類の紙幣４０のうち、長辺が最も短い長辺最短紙幣４０Ｂの当該長辺の長さ分の位置よりも搬送路幅右端寄りに位置するように配置した。
【０２１９】
また現金自動預払機１では、第１乃至第３紙幣搬送部１８乃至２０において搬送路幅右端側の下搬送ローラ３１（３５）をローラセンタが、搬送路幅左端から長辺最短紙幣４０Ｂの長辺の長さ分の位置よりも当該搬送路幅左端寄りに位置するように配置した。
【０２２０】
これに加え現金自動預払機１では、第１乃至第３紙幣搬送部１８乃至２０において搬送路幅方向に沿って２個の上搬送ローラ３２、３３（３６、３７）を下搬送ローラ３０、３１（３４、３５）と対向させて一方は搬送路幅方向の中心よりも搬送路幅左端寄りに配置し、他方を搬送路幅右端寄りに配置するようにした。
【０２２１】
すなわち、現金自動預払機１では、第１乃至第３紙幣搬送部１８乃至２０において搬送路幅左端側の上搬送ローラ３２（３６）をローラセンタが、搬送路幅右端から長辺最短紙幣４０Ｂの長辺の長さ分の位置よりも当該搬送路幅右端寄りに位置するように配置した。
【０２２２】
また現金自動預払機１では、第１乃至第３紙幣搬送部１８乃至２０において搬送路幅右端側の上搬送ローラ３３（３７）をローラセンタが、搬送路幅左端から長辺最短紙幣４０Ｂの長辺の長さ分の位置よりも当該搬送路幅左端寄りに位置するように配置した。
【０２２３】
従って現金自動預払機１では、第１乃至第３紙幣搬送部１８乃至２０において長辺最短紙幣４０Ｂが長辺向搬送姿勢で第１乃至第３搬送路１８Ａ乃至２０Ａの搬送路幅方向に対し何処を通る場合でも、当該長辺最短紙幣４０Ｂを、搬送路幅方向の２個の下搬送ローラ３０、３１（３４、３５）と、これに対向する２個の下搬送ローラ３０、３１（３４、３５）とを挟み込みながら送り出すようにして搬送することができる。
【０２２４】
以上の構成によれば、現金自動預払機１は、第１乃至第３紙幣搬送部１８乃至２０において第１乃至第３搬送路１８Ａ乃至２０Ａの搬送路幅を長辺最長紙幣４０の長辺の長さに応じて選定し、搬送路幅方向に沿って２個の下搬送ローラ３０、３１、３４、３５と、これに対向させる２個の上搬送ローラ３２、３３、３６、３７を、一方はローラセンタが、搬送路幅右端から長辺最短紙幣４０Ｂの長辺の長さ分の位置よりも搬送路幅右端寄りに位置するように配置し、他方はローラセンタが、搬送路幅左端から長辺最短紙幣４０Ｂの長辺の長さ分の位置よりも当該搬送路幅左端寄りに位置するように配置するようにした。
【０２２５】
これにより現金自動預払機１は、第１乃至第３紙幣搬送部１８乃至２０において長辺最短紙幣４０Ｂが長辺向搬送姿勢で第１乃至第３搬送路１８Ａ乃至２０Ａの搬送路幅方向に対し何処を通る場合でも、当該長辺最短紙幣４０Ｂを、搬送路幅方向の２個の下搬送ローラ３０、３１（３４、３５）と、これに対向する２個の下搬送ローラ３０、３１（３４、３５）とで２箇所を挟み込みながら送り出すようにして搬送することができる。
【０２２６】
よって現金自動預払機１は、第１乃至第３紙幣搬送部１８乃至２０により第１乃至第３搬送路１８Ａ乃至２０Ａを介して、長辺の長さの異なる長方形の紙幣４０の何れも長辺向搬送姿勢で的確に搬送することができる。
【０２２７】
また現金自動預払機１では、第１乃至第３紙幣搬送部１８乃至２０において第１乃至第３搬送路１８Ａ乃至２０Ａの搬送路幅方向に対し２個の下搬送ローラ３０、３１、３４、３５、及び２個の上搬送ローラ３２、３３、３６、３７を、一方はローラセンタが、搬送路幅左端から短辺最短紙幣４０Ｂの短辺の長さ分の位置よりも搬送路幅左端寄りに位置するように配置し、他方はローラセンタが、搬送路幅右端から短辺最短紙幣４０Ｂの短辺の長さ分の位置よりも当該搬送路幅右端寄りに位置するように配置するようにした。
【０２２８】
従って現金自動預払機１は、第１乃至第３紙幣搬送部１８乃至２０において短辺の長さの異なる紙幣４０の何れが短辺向搬送姿勢で第１乃至第３搬送路１８Ａ乃至２０Ａの搬送路幅左端寄りや搬送路幅右端寄りを通る場合でも、当該紙幣４０を搬送路幅方向の２個の下搬送ローラ３０、３１（３４、３５）及び２個の上搬送ローラ３２、３３（３６、３７）により紙幣４０の少なくとも１箇所を確実に挟み込みながら送り出すようにして搬送することができる。
【０２２９】
さらに現金自動預払機１では、第１乃至第３紙幣搬送部１８乃至２０において搬送路幅方向の２個の下搬送ローラ３０、３１（３４、３５）の幅方向ローラ間距離、及び当該搬送路幅方向の２個の上搬送ローラ３２、３３（３６、３７）の幅方向ローラ間距離を短辺最短紙幣４０Ａの短辺の長さよりも短くするようにした。
【０２３０】
従って現金自動預払機１は、第１乃至第３紙幣搬送部１８乃至２０において、それぞれ短辺の長さの異なる紙幣４０が短辺向搬送姿勢で第１乃至第３搬送路１８Ａ乃至２０Ａの中央部を通るような場合、これら紙幣４０の何れも搬送路幅方向の２個の下搬送ローラ３０、３１（３４、３５）及び２個の上搬送ローラ３２、３３（３６、３７）により当該紙幣４０の２箇所を確実に挟み込みながら送り出すようにして搬送することができる。
【０２３１】
このように現金自動預払機１は、第１乃至第３紙幣搬送部１８乃至２０において、それぞれサイズの異なる紙幣４０がどのような姿勢で第１乃至第３搬送路１８Ａ乃至２０Ａの搬送路幅方向に対し何処を通る場合でも、これら紙幣４０を、搬送方向に沿って順次一組の下搬送ローラ３０、３１、３４、３５及び上搬送ローラ３２、３３、３６、３７により当該紙幣４０の少なくとも１箇所を挟み込みながら送り出すようにして的確に搬送することができる。
【０２３２】
（２）第２の実施の形態
（２−１）現金自動預払機の外観構成
次いで、第２の実施の形態による現金自動預払機について説明する。第２の実施の形態による現金自動預払機は、第１の実施の形態による現金自動預払機１（図１）と同様の外観構成を有している。よって、第２の実施の形態による現金自動預払機５０の外観構成については、図１を参照することとし説明を省略する。
【０２３３】
（２−２）紙幣処理ユニットの構成
次いで、第２の実施の形態による現金自動預払機５０に設けられた紙幣処理ユニットの構成について説明する。図２との対応部分に同一符号を付した図１１に示すように、紙幣処理ユニット５１は、第１乃至第３紙幣搬送部５２乃至５４の構成（すなわち、第１乃至第３搬送路５２Ａ乃至５４Ａの構成）を除いて上述した第１の実施の形態による現金自動預払機１の紙幣処理ユニット１０と同様に構成されている。
【０２３４】
よって、以下には、第２の実施の形態による紙幣処理ユニット５１に設けられた第１乃至第３紙幣搬送部５２乃至５４の構成について説明する。
【０２３５】
（２−３）紙幣搬送部の構成
第２の実施の形態による第１乃至第３紙幣搬送部５２乃至５４は、第１乃至第３搬送路５２Ａ乃至５４Ａに紙幣４０の通過及び残留の有無を検出するためのセンサ（以下、これを通過残留センサとも呼ぶ）が設けられた構成を除いて、図３乃至図１０を用いて上述した第１の実施の形態による第１乃至第３紙幣搬送部１８乃至２０と同様に構成されている。
【０２３６】
ところで、第１乃至第３紙幣搬送部５２乃至５４は、基本的には同様に構成されている。このため、以下には、第１紙幣搬送部５２の構成について説明し、他の第２及び第３紙幣搬送部５３、５４の構成については説明を省略する。
【０２３７】
また第１紙幣搬送部５２の構成として、以下には、第１の実施の形態の場合と同様に例えば、紙幣投入取出部５と鑑別部１１との間の部分の構成を説明し、他の部分の構成については、当該紙幣投入取出部５と鑑別部１１との間の部分と基本的には同様であるため説明を省略する。
【０２３８】
図３乃至図５との対応部分に同一符号を付した図１２乃至図１４に示すように、第１紙幣搬送部５２は、例えば、搬送方向に沿って順に配置された一組の下搬送ローラ３０、３１及び上搬送ローラ３２、３３と、これに隣接する他の一組の下搬送ローラ３４、３５及び上搬送ローラ３６、３７との間に、２個の通過残留センサ６０、６１が搬送路幅方向に沿って所定の間隔で配置されている。
【０２３９】
因みに、以下の説明では、２個の通過残留センサ６０、６１のうち、搬送路幅左端側に位置する一方の通過残留センサ６０を、左通過残留センサ６０とも呼び、搬送路幅右端側に位置する他方の通過残留センサ６１を、右通過残留センサ６１とも呼ぶ。
【０２４０】
また、以下の説明では、搬送路幅方向に沿って配置された２個の左通過残留センサ６０及び右通過残留センサ６１を、一組の左通過残留センサ６０及び右通過残留センサ６１とも呼ぶ。
【０２４１】
左通過残留センサ６０は、例えば、発光素子６０Ａ及び受光素子６０Ｂを有している。そして発光素子６０Ａは、光ビームの発射面を上搬送ガイド２７の一面２７Ａに向けて、下搬送ガイド２８の一面２８Ａよりも下側に配置されている。
【０２４２】
また受光素子６０Ｂは、光ビームの受光面を下搬送ガイド２８の一面２８Ａに向けるようにして発光素子６０Ａの発射面と対向させて、上搬送ガイド２７の一面２７Ａよりも上側に配置されている。
【０２４３】
右通過残留センサ６１は、左通過残留センサ６０と同様に構成され、発光素子６１Ａ及び受光素子６１Ｂを有している。
【０２４４】
そして発光素子６１Ａは、光ビームの発射面を上搬送ガイド２７の一面２７Ａに向けて、下搬送ガイド２８の一面２８Ａよりも下側に配置されている。
【０２４５】
また受光素子６１Ｂは、光ビームの受光面を下搬送ガイド２８の一面２８Ａに向けるようにして発光素子６１Ａの発射面と対向させて、上搬送ガイド２７の一面２７Ａよりも上側に配置されている。
【０２４６】
第１紙幣搬送部５２は、特に図示はしないが、この他にも同様構成の一組又は複数組の左通過残留センサ及び右通過残留センサが、搬送方向に沿って所定の間隔で（すなわち、一組の下搬送ローラ及び上搬送ローラと、これに隣接する他の一組の下搬送ローラ及び上搬送ローラとの間に一組毎や数組毎に）配置されている。
【０２４７】
そして複数組の左通過残留センサ６０及び右通過残留センサ６１は、紙幣搬送時、制御部の制御のもと発光素子６０Ａ、６１Ａの発射面から光ビームを連続的に発射すると共に、その光ビームを受光素子６０Ｂ、６１Ｂの受光面で受光する。
【０２４８】
ただし、複数組の左通過残留センサ６０及び右通過残留センサ６１は、発光素子６０Ａ、６１Ａの発射面から発射する光ビームの光軸上に紙幣４０が位置すると、当該光ビームが紙幣４０によって遮光され受光素子６０Ｂ、６１Ｂの受光面で受光し得なくなる。
【０２４９】
よって複数組の左通過残留センサ６０及び右通過残留センサ６１は、紙幣搬送時、受光素子６０Ｂ、６１Ｂから、光ビームの受光の有無を信号レベルの変化で示す受光有無信号を制御部に送出する。
【０２５０】
ここで、第１紙幣搬送部５２は、紙幣搬送時、第１搬送路５２Ａを介して複数の紙幣４０を１枚ずつ比較的短い距離間隔で、かつ比較的高速に搬送している。
【０２５１】
このため第１紙幣搬送部５２では、複数の紙幣を１枚ずつ的確に搬送し得ている間、複数組の左通過残留センサ６０及び右通過残留センサ６１の光ビームの光軸を複数の紙幣４０が比較的短い時間間隔で順次横切ることになる。
【０２５２】
従って複数の受光素子６０Ｂ、６１Ｂが出力する受光有無信号は、信号レベルが光ビームの受光の有無を比較的短い周期で順次交互に示すように変化する。
【０２５３】
また複数の受光素子６０Ｂ、６１Ｂが出力する受光有無信号は、紙幣４０が光ビームを遮った状態で止まった場合、信号レベルが、受光素子６０Ｂ、６１Ｂの受光面で光ビームを受光していないことを示し続けることになる。
【０２５４】
さらに複数の受光素子６０Ｂ、６１Ｂが出力する受光有無信号は、第１搬送路５２Ａの何処かに紙幣４０が詰まった場合、紙幣４０が光ビームを何ら遮らないため、信号レベルが、受光素子６０Ｂ、６１Ｂの受光面で光ビームを受光していることを示し続けることになる。
【０２５５】
よって制御部は、紙幣搬送時、複数組の左通過残留センサ６０及び右通過残留センサ６１の受光素子６０Ｂ、６１Ｂから与えられる受光有無信号に基づき（すなわち、信号レベルの変化に基づき）、第１搬送路５２Ａにおける当該複数組の左通過残留センサ６０及び右通過残留センサ６１の配置位置での紙幣４０の通過の有無及び残留の有無を検出することができる。
【０２５６】
すなわち、制御部は、紙幣搬送時、複数の受光素子６０Ｂ、６１Ｂから与えられる受光有無信号に基づき、第１搬送路５２Ａにおいて左通過残留センサ６０及び右通過残留センサ６１の配置位置で紙幣４０が的確に通過したか否か、何処かで詰まったか否かを検出することができる。
【０２５７】
また制御部は、紙幣搬送時、複数の受光素子６０Ｂ、６１Ｂから与えられる受光有無信号に基づき、第１搬送路５２Ａにおいて左通過残留センサ６０及び右通過残留センサ６１の配置位置で紙幣４０が残留しているか否かも検出することができる。
【０２５８】
これにより制御部は、紙幣搬送時、複数組の左通過残留センサ６０及び右通過残留センサ６１の受光素子６０Ｂ、６１Ｂからそれぞれ与えられる受光有無信号に基づき、第１搬送路５２Ａを介した紙幣４０の搬送状態を監視することができ、紙幣４０が詰まったときには、例えば、紙幣処理ユニット５１の動作を停止させ作業者に通知することができる。
【０２５９】
ところで、第１紙幣搬送部５２では、搬送路幅方向に対する複数組の左通過残留センサ６０及び右通過残留センサ６１の配置位置が、現金自動預払機１で扱うことが想定される、それぞれサイズの異なる紙幣４０の当該サイズに応じて選定されている。
【０２６０】
よって、以下には、第１紙幣搬送部５２おける複数組の左通過残留センサ６０及び右通過残留センサ６１の搬送路幅方向に対する配置位置について説明する。
【０２６１】
ただし、第１紙幣搬送部５２における複数組の左通過残留センサ６０及び右通過残留センサ６１の搬送路幅方向に対する配置位置は、何れの一組についても等しい。
【０２６２】
このため、以下には、一組の左通過残留センサ６０及び右通過残留センサ６１の配置位置について説明し、他の複数組の左通過残留センサ及び右通過残留センサの配置位置については説明を省略する。
【０２６３】
図９及び図１０との対応部分に同一符号を付した図１５及び図１６に示すように、第１紙幣搬送部５２では、上述のように紙幣４０を長辺向搬送姿勢や短辺向搬送姿勢で搬送する際、当該紙幣４０が第１搬送路５２Ａの左搬送フレーム２５寄りや右搬送フレーム２６寄りを通る場合がある。
【０２６４】
このため第１紙幣搬送部５２は、左通過残留センサ６０と右通過残留センサ６１とが、第１搬送路５２Ａの搬送路中心線ＶＬ１に対し線対称な位置に配置されている。
【０２６５】
そして第１紙幣搬送部５２では、左通過残留センサ６０の発光素子６０Ａが発射する光ビームの光軸や、右通過残留センサ６１の発光素子６１Ａが発射する光ビームの光軸に、紙幣４０の長辺の部分や短辺の部分（すなわち、縁の部分）がかかるたけでも、これら光ビームを遮光することができる。
【０２６６】
因みに、以下の説明では、左通過残留センサ６０の発光素子６０Ａが発射する光ビームの光軸や、右通過残留センサ６１の発光素子６１Ａが発射する光ビームの光軸を、それぞれセンサ光軸とも呼ぶ。
【０２６７】
ただし、紙幣４０は、上述のように、流通により長辺部分や短辺部分が磨耗して長手方向や短手方向の長さが僅かに短くなる場合がある。
【０２６８】
よって第１紙幣搬送部５２では、例えば、搬送路幅左端から右通過残留センサ６１のセンサ光軸までの距離（以下、これを第１幅左端センサ間距離とも呼ぶ）をＷＡＬ１とし、現金自動預払機１で扱うことが想定される、サイズの異なる複数種類の紙幣４０のうち、長辺最短紙幣４０Ｂの長辺の長さをＬＬ１とすると、（１１）式
【０２６９】
ＬＬ１＞ＷＡＬ１                                          ……（１１）
【０２７０】
で表されるように、第１幅左端センサ間距離が長辺最短紙幣４０Ｂの長辺の長さよりも短く選定されている。
【０２７１】
また第１紙幣搬送部５２では、例えば、搬送路幅右端から左通過残留センサ６０のセンサ光軸までの距離（以下、これを第１幅右端センサ間距離とも呼ぶ）をＷＡＲ１とすると、（１２）式
【０２７２】
ＬＬ１＞ＷＡＲ１                                          ……（１２）
【０２７３】
で表されるように、第１幅右端センサ間距離が長辺最短紙幣４０Ｂの長辺の長さよりも短く選定されている。
【０２７４】
そして第１紙幣搬送部５２では、上述のように左通過残留センサ６０と右通過残留センサ６１とが搬送路中心線ＶＬ１に対し線対称な位置に配置されているため、（１３）式
【０２７５】
ＷＡＬ１＝ＷＡＲ１                                        ……（１３）
【０２７６】
で表されるように、第１幅左端センサ間距離と第１幅右端センサ間距離とが等しくなる。
【０２７７】
因みに、第１紙幣搬送部５２では、例えば、現金自動預払機１で扱うことが想定される長辺最短紙幣４０Ｂが、長辺の長さが１２０［ｍｍ］に選定されている欧州の５ユーロの紙幣である場合、第１幅左端センサ間距離及び第１幅右端センサ間距離は共に、その１２０［ｍｍ］よりも短く選定されている。
【０２７８】
これにより第１紙幣搬送部５２では、搬送路幅方向の一組の左通過残留センサ６０及び右通過残留センサ６１のセンサ光軸間の距離が必然的に、長辺最短紙幣４０Ｂの長辺の長さよりも短く選定されている。
【０２７９】
従って第１紙幣搬送部５２では、長辺最短紙幣４０Ｂが長辺向搬送姿勢で第１搬送路１８Ａの中央部を通るような場合、当該長辺最短紙幣４０Ｂに、左通過残留センサ６０のセンサ光軸及び右通過残留センサ６１のセンサ光軸を共に横切らせることができる。
【０２８０】
また第１紙幣搬送部５２では、長辺最短紙幣４０Ｂの一方の短辺や他方の短辺が搬送路幅左端や搬送路幅右端に位置するような場合でも、当該長辺最短紙幣４０Ｂに、左通過残留センサ６０のセンサ光軸及び右通過残留センサ６１のセンサ光軸を共に横切らせることができる。
【０２８１】
よって第１紙幣搬送部５２は、現金自動預払機１で扱うことが想定される長辺の異なる紙幣４０の何れを長辺向搬送姿勢で搬送する場合でも、これら紙幣４０に、左通過残留センサ６０のセンサ光軸及び右通過残留センサ６１のセンサ光軸を共に横切らせることができる。
【０２８２】
ただし、第１紙幣搬送部５２では、上述のように紙幣４０を短辺向搬送姿勢で搬送する際、当該紙幣４０が第１搬送路５２Ａの左搬送フレーム２５寄りや右搬送フレーム２６寄りを通るような場合がある。
【０２８３】
また第１紙幣搬送部５２では、例えば、二つ折りの紙幣４０をそのまま搬送する際、当該二つ折りの紙幣４０が第１搬送路５２Ａの左搬送フレーム２５寄りや右搬送フレーム２６寄りを通るような場合もある。
【０２８４】
よって第１紙幣搬送部５２では、例えば、搬送路幅左端から左通過残留センサ６０のセンサ光軸までの距離（以下、これを第２幅左端センサ間距離とも呼ぶ）をＷＡＬ２とし、短辺最短紙幣４０Ａの短辺の長さをＬＳ１とすると、（１４）式
【０２８５】
ＬＳ１＞ＷＡＬ２                                          ……（１４）
【０２８６】
で表されるように、第２幅左端センサ間距離が短辺最短紙幣４０Ａの短辺の長さよりも短く選定されている。
【０２８７】
また第１紙幣搬送部５２では、例えば、搬送路幅右端から右通過残留センサ６１のセンサ光軸までの距離（以下、これを第２幅右端センサ間距離とも呼ぶ）をＷＡＲ２とすると、（１５）式
【０２８８】
ＬＳ１＞ＷＡＲ２                                          ……（１５）
【０２８９】
で表されるように、第２幅右端センサ間距離が短辺最短紙幣４０Ａの短辺の長さよりも短く選定されている。
【０２９０】
そして第１紙幣搬送部５２では、上述のように左通過残留センサ６０と右通過残留センサ６１とが搬送路中心線ＶＬ１に対し線対称な位置に配置されているため、（１６）式
【０２９１】
ＷＡＬ２＝ＷＡＲ２                                        ……（１６）
【０２９２】
で表されるように、第２幅左端センサ間距離と第２幅右端センサ間距離とが等しくなる。
【０２９３】
因みに、第１紙幣搬送部５２では、例えば、現金自動預払機１で扱うことが想定される短辺最短紙幣４０Ａが、短辺の長さが６２［ｍｍ］に選定されている欧州の５ユーロの紙幣である場合、第２幅左端センサ間距離及び第２幅右端センサ間距離は共に、その６２［ｍｍ］よりも短く選定されている。
【０２９４】
これにより第１紙幣搬送部５２では、短辺最短紙幣４０Ａの一方の長辺や他方の長辺が搬送路幅左端や搬送路幅右端に位置するような場合でも、当該短辺最短紙幣４０Ａに、左通過残留センサ６０のセンサ光軸及び右通過残留センサ６１のセンサ光軸の一方を横切らせることができる。
【０２９５】
よって第１紙幣搬送部５２は、現金自動預払機１で扱うことが想定される短辺の長さの異なる紙幣４０を短辺向搬送姿勢で搬送するような場合に、これら紙幣４０の何れが搬送路幅左端寄りや搬送路幅右端寄りを通っても、当該紙幣４０に、左通過残留センサ６０のセンサ光軸及び右通過残留センサ６１のセンサ光軸の少なくとも一方を横切らせることができる。
【０２９６】
ところで、第１紙幣搬送部５２では、紙幣４０を短辺向搬送姿勢で搬送する際、当該紙幣４０が第１搬送路５２Ａの左搬送フレーム２５寄りや右搬送フレーム２６寄りを通る場合以外にも、第１搬送路５２Ａの中央部を通るような場合がある。
【０２９７】
さらにまた第１紙幣搬送部５２では、例えば、二つ折りの紙幣４０をそのまま搬送する際、当該二つ折りの紙幣４０が第１搬送路５２Ａの左搬送フレーム２５寄りや右搬送フレーム２６寄りを通る場合以外に、当該第１搬送路５２Ａの中央部を通るような場合もある。
【０２９８】
よって第１紙幣搬送部５２では、例えば、左通過残留センサ６０及び右通過残留センサ６１のセンサ光軸間の距離（以下、これを幅方向センサ間距離とも呼ぶ）をＷＳ１とし、短辺最短紙幣４０Ａの短辺の長さをＬＳ１とすると、（１７）式
【０２９９】
ＬＳ１＞ＷＳ１                                            ……（１７）
【０３００】
で表されるように、幅方向センサ間距離が短辺最短紙幣４０Ａの短辺の長さよりも短く選定されている。
【０３０１】
因みに、第１紙幣搬送部５２では、例えば、現金自動預払機１で扱うことが想定される短辺最短紙幣４０Ａが、短辺の長さが６２［ｍｍ］に選定されている欧州の５ユーロの紙幣である場合、幅方向センサ間距離は、その６２［ｍｍ］よりも短く選定されている。
【０３０２】
これにより第１紙幣搬送部５２では、現金自動預払機１で扱うことが想定される短辺の長さの異なる紙幣４０の何れを短辺向搬送姿勢で搬送するような場合でも、当該紙幣４０が第１搬送路５２Ａの中央部を通る際には、左通過残留センサ６０のセンサ光軸及び右通過残留センサ６１のセンサ光軸を共に横切らせることができる。
【０３０３】
また第１紙幣搬送部５２では、現金自動預払機１で扱うことが想定される短辺の長さの異なる紙幣４０の何れを二つ折りのまま搬送するような場合でも、当該二つ折りの紙幣４０が第１搬送路５２Ａの中央部を通る際には、左通過残留センサ６０のセンサ光軸及び右通過残留センサ６１のセンサ光軸を共に横切らせることができる。
【０３０４】
そして第１紙幣搬送部５２では、（１８）式
【０３０５】
ＷＴ１＝ＷＡＬ２＋ＷＡＲ２＋ＷＳ１                        ……（１８）
【０３０６】
で表されるように、第２幅左端センサ間距離、第２幅右端センサ間距離及び幅方向センサ間距離を合計した距離が上述の搬送路幅となる。
【０３０７】
よって第１紙幣搬送部５２では、実際に搬送路幅方向に対する左通過残留センサ６０及び右通過残留センサ６１の配置位置が、上述した（１１）式、（１２）式、（１４）式、（１５）式、（１７）式及び（１８）式に示す搬送路幅方向に対するセンサの配置位置の条件（以下、これを搬送路幅方向センサ配置条件とも呼ぶ）を満たすように選定されている。
【０３０８】
すなわち、第１紙幣搬送部５２では、左通過残留センサ６０が、長辺向搬送姿勢の長辺最短紙幣４０Ｂの他方の短辺が搬送路幅右端に位置する場合にセンサ光軸を当該長辺最短紙幣４０Ｂの一方の短辺よりも紙幣面内に位置させ、短辺向搬送姿勢の短辺最短紙幣４０Ａの一方の長辺が搬送路幅左端に位置する場合にセンサ光軸を当該短辺最短紙幣４０Ａの他方の長辺よりも紙幣面内に位置させるように配置されている。
【０３０９】
また第１紙幣搬送部５２では、右通過残留センサ６１が、長辺向搬送姿勢の長辺最短紙幣４０Ｂの一方の短辺が搬送路幅左端に位置する場合にセンサ光軸を当該長辺最短紙幣４０Ｂの他方の短辺よりも紙幣面内に位置させ、短辺向搬送姿勢の短辺最短紙幣４０Ａの他方の長辺が搬送路幅右端に位置する場合にセンサ光軸を当該短辺最短紙幣４０Ａの一方の長辺よりも紙幣面内に位置させるように配置されている。
【０３１０】
因みに、第１紙幣搬送部５２では、例えば、現金自動預払機１で扱うことが想定される、それぞれサイズの異なる紙幣４０の中に、二つ折りにされた場合の長辺短縮長さが、短辺最短紙幣４０Ａの短辺の長さよりも短くなる紙幣４０が存在すると、当該短辺最短紙幣４０Ａの短辺の長さよりも短い長辺短縮長さを考慮して、搬送路幅方向に対する左通過残留センサ６０及び右通過残留センサ６１の配置位置が選定されている。
【０３１１】
すなわち、第１紙幣搬送部５２では、短辺最短紙幣４０Ａの短辺の長さよりも長辺短縮長さが短いと、上述した（１４）式、（１５）式及び（１７）式の短辺最短紙幣４０Ａの短辺の長さを、これよりも短い長辺短縮長さに置き換えるように変更し、その変更後の（１４）式、（１５）式及び（１７）式と共に上述した（１１）式、（１２）式及び（１８）式に示す搬送路幅方向センサ配置条件を満たすように、搬送路幅方向に対する左通過残留センサ６０及び右通過残留センサ６１の配置位置が選定されている。
【０３１２】
これにより第１紙幣搬送部５２は、現金自動預払機１で扱うことが想定される、それぞれサイズの異なる紙幣４０を長辺向搬送姿勢で搬送する場合、その紙幣４０にサイズに関わらず、また第１搬送路５２Ａの搬送路幅方向に対し何処を通るのかにも関わらずに、搬送方向に沿って順次一組の左通過残留センサ６０及び右通過残留センサ６１の両方のセンサ光軸を横切らせるようにして、当該紙幣４０の通過の有無及び残留の有無を検出させることができる。
【０３１３】
また第１紙幣搬送部５２は、それぞれサイズの異なる紙幣４０を仮に短辺向搬送姿勢で搬送するような場合に、当該紙幣４０が第１搬送路１８Ａの中央部を通ると、その紙幣４０にサイズに関わらずに、搬送方向に沿って順次一組の左通過残留センサ６０及び右通過残留センサ６１の両方のセンサ光軸を横切らせるようにして、当該紙幣４０の通過の有無及び残留の有無を検出させることができる。
【０３１４】
さらに第１紙幣搬送部５２は、それぞれサイズの異なる紙幣４０を仮に短辺向搬送姿勢で搬送するような場合に、当該紙幣４０が第１搬送路５２Ａの左搬送フレーム２５寄り（又は、右搬送フレーム２６寄り）を通ると、その紙幣４０に、搬送方向に沿って順次一組の左通過残留センサ６０及び右通過残留センサ６１の両方のセンサ光軸の少なくとも一方を横切らせるようにして、当該紙幣４０の通過の有無及び残留の有無を検出させることができる。
【０３１５】
そして第１紙幣搬送部５２は、この際、仮に紙幣４０の短辺向搬送姿勢が一方の長辺を搬送方向へ向けるような搬送姿勢に変化すると、その変化に応じて当該紙幣４０に、左通過残留センサ６０及び右通過残留センサ６１の両方のセンサ光軸を確実に横切らせることができる。
【０３１６】
よって第１紙幣搬送部５２は、このように紙幣４０の短辺向搬送姿勢が一方の長辺を搬送方向へ向けるような搬送姿勢に変化すると、その搬送姿勢の変化以降は、搬送方向に沿って順次一組の左通過残留センサ６０及び右通過残留センサ６１の両方のセンサ光軸を確実に横切らせて、当該紙幣４０の通過の有無及び残留の有無を検出させることができる。
【０３１７】
さらに第１紙幣搬送部５２は、それぞれサイズの異なる紙幣４０を仮に二つ折りの状態で搬送するような場合も、当該紙幣４０を短辺向搬送姿勢で搬送する場合と同様に、順次一組の左通過残留センサ６０及び右通過残留センサ６１の両方又は一方のセンサ光軸を横切らせて、当該紙幣４０の通過の有無及び残留の有無を検出させることができる。
【０３１８】
（２−４）第２の実施の形態の動作及び効果
以上の構成において、現金自動預払機５０では、第１乃至第３紙幣搬送部５２乃至５４において搬送路幅方向に沿って２個の左通過残留センサ６０及び右通過残留センサ６１を一方は搬送路幅方向の中心よりも搬送路幅左端寄りに配置し、他方を搬送路幅右端寄りに配置するようにした。
【０３１９】
実際に現金自動預払機５０では、第１乃至第３紙幣搬送部５２乃至５４において搬送路幅左端側の左通過残留センサ６０をセンサ光軸が、搬送路幅右端から、当該現金自動預払機５０で扱うことが想定される、それぞれサイズの異なる複数種類の紙幣４０のうち、長辺が最も短い長辺最短紙幣４０Ｂの当該長辺の長さ分の位置よりも搬送路幅右端寄りに位置するように配置した。
【０３２０】
また現金自動預払機５０では、第１乃至第３紙幣搬送部５２乃至５４において搬送路幅右端側の右通過残留センサ６１をセンサ光軸が、搬送路幅左端から長辺最短紙幣４０Ｂの長辺の長さ分の位置よりも当該搬送路幅左端寄りに位置するように配置した。
【０３２１】
従って現金自動預払機５０では、第１乃至第３紙幣搬送部５２乃至５４において長辺最短紙幣４０Ｂが長辺向搬送姿勢で第１乃至第３搬送路５２Ａ乃至５４Ａの搬送路幅方向に対し何処を通る場合でも、当該長辺最短紙幣４０Ｂに、搬送路幅方向の２個の左通過残留センサ６０及び右通過残留センサ６１の両方のセンサ光軸を横切らせることができる。
【０３２２】
以上の構成によれば、現金自動預払機５０は、第１乃至第３紙幣搬送部５２乃至５４において搬送路幅方向に沿って２個の左通過残留センサ６０及び右通過残留センサ６１を、一方はセンサ光軸が、搬送路幅右端から長辺最短紙幣４０Ｂの長辺の長さ分の位置よりも搬送路幅右端寄りに位置するように配置し、他方はセンサ光軸が、搬送路幅左端から長辺最短紙幣４０Ｂの長辺の長さ分の位置よりも当該搬送路幅左端寄りに位置するように配置するようにした。
【０３２３】
これにより現金自動預払機５０は、第１乃至第３紙幣搬送部５２乃至５４において長辺最短紙幣４０Ｂが長辺向搬送姿勢で第１乃至第３搬送路５２Ａ乃至５４Ａの搬送路幅方向に対し何処を通る場合でも、当該長辺最短紙幣４０Ｂに、搬送路幅方向の２個の左通過残留センサ６０及び右通過残留センサ６１の両方のセンサ光軸を横切らせることができる。
【０３２４】
よって現金自動預払機５０は、上述した第１の実施の形態によって得られる効果と同様の効果を得ることができると共に、これに加えて第１乃至第３紙幣搬送部５２乃至５４により第１乃至第３搬送路５２Ａ乃至５４Ａを介して、長辺の長さの異なる長方形の紙幣４０の何れを長辺向搬送姿勢で搬送する場合も左通過残留センサ６０及び右通過残留センサ６１の出力に基づき紙幣４０の通過の有無及び残留の有無を的確に検出することができる。
【０３２５】
また現金自動預払機５０では、第１乃至第３紙幣搬送部５２乃至５４において搬送路幅方向に対し左通過残留センサ６０はセンサ光軸が、搬送路幅左端から短辺最短紙幣４０Ｂの短辺の長さ分の位置よりも搬送路幅左端寄りに位置するように配置し、右通過残留センサ６１はセンサ光軸が、搬送路幅右端から短辺最短紙幣４０Ｂの短辺の長さ分の位置よりも当該搬送路幅右端寄りに位置するように配置するようにした。
【０３２６】
従って現金自動預払機５０は、第１乃至第３紙幣搬送部５２乃至５４において短辺の長さの異なる紙幣４０の何れが短辺向搬送姿勢で第１乃至第３搬送路５２Ａ乃至５４Ａの搬送路幅左端寄りや搬送路幅右端寄りを通る場合でも、当該紙幣４０に搬送路幅方向の２個の左通過残留センサ６０及び右通過残留センサ６１の両方のセンサ光軸の少なくとも一方のセンサ光軸を横切らせるようにして、当該左通過残留センサ６０及び右通過残留センサ６１の出力に基づき紙幣４０の通過の有無及び残留の有無を的確に検出することができる。
【０３２７】
さらに現金自動預払機５０では、第１乃至第３紙幣搬送部５２乃至５４において搬送路幅方向の２個の左通過残留センサ６０及び右通過残留センサ６１の幅方向センサ間距離を短辺最短紙幣４０Ａの短辺の長さよりも短くするようにした。
【０３２８】
従って現金自動預払機５０は、第１乃至第３紙幣搬送部５２乃至５４において、それぞれ短辺の長さの異なる紙幣４０が短辺向搬送姿勢で第１乃至第３搬送路５２Ａ乃至５４Ａの中央部を通るような場合は、これら紙幣４０の何れにも搬送路幅方向の２個の左通過残留センサ６０及び右通過残留センサ６１の両方のセンサ光軸を横切らせるようにして、当該左通過残留センサ６０及び右通過残留センサ６１の出力に基づき紙幣４０の通過の有無及び残留の有無を的確に検出することができる。
【０３２９】
このように現金自動預払機５０は、第１乃至第３紙幣搬送部５２乃至５４において、それぞれサイズの異なる紙幣４０がどのような姿勢で第１乃至第３搬送路５２Ａ乃至５４Ａの搬送路幅方向に対し何処を通る場合でも、これら紙幣４０に、搬送方向に沿って順次一組の左通過残留センサ６０及び右通過残留センサ６１の両方のセンサ光軸の少なくとも一方のセンサ光軸を横切らせるようにして、左通過残留センサ６０及び右通過残留センサ６１の出力に基づき紙幣４０の通過の有無及び残留の有無を的確に検出することができる。
【０３３０】
（３）他の実施の形態
（３−１）他の実施の形態１
なお上述した第１及び第２の実施の形態においては、第１乃至第３紙幣搬送部１８乃至２０、５２乃至５４において紙幣４０の搬送用に複数の下搬送ローラ３０、３１、３４、３５及び複数の上搬送ローラ３２、３３、３６、３７を設けるようにした場合について述べた。
【０３３１】
しかしながら本発明は、これに限らず、第１乃至第３紙幣搬送部１８乃至２０、５２乃至５４に、複数の上搬送ローラ３２、３３、３６、３７に換えて、紙幣４０の搬送用に複数のローラと、これら複数のローラにかけられた無端状の複数のベルトとを設けるようにしても良い。
【０３３２】
すなわち、図３及び図５との対応部分に同一符号を付した図１７及び図１８に示すように、例えば、第１紙幣搬送部７０は、左搬送フレーム２５及び右搬送フレーム２６に、搬送路幅方向に沿って並ぶ２個の下搬送ローラ３０、３１よりも前で２個のローラ７１、７２を搬送路幅方向に沿って並べるようにして図示しないローラ回動軸を介し一回転方向及び他回転方向へ回動可能に支持している。
【０３３３】
また第１紙幣搬送部７０は、左搬送フレーム２５及び右搬送フレーム２６に、搬送路幅方向に沿って並ぶ２個の下搬送ローラ３４、３５よりも後で２個のローラ７３、７４を搬送路幅方向に沿って並べるようにして図示しないローラ回動軸を介し一回転方向及び他回転方向へ回動可能に支持している。
【０３３４】
さらに第１紙幣搬送部７０は、搬送路幅左端側で搬送方向に沿って隣接する一方のローラ７１から他方のローラ７３に亘って無端状のベルト（以下、これを左搬送ベルトとも呼ぶ）７５がかけられると共に、搬送路幅右端側で搬送方向に沿って隣接する一方のローラ７２から他方のローラ７４に亘っても無端状のベルト（以下、これを右搬送ベルトとも呼ぶ）７６がかけられている。
【０３３５】
そして第１紙幣搬送部７０は、左搬送ベルト７５において２個のローラ７１、７３間の搬送方向と平行な上下２箇所の直線状の部分のうち、下側の直線状の部分を、上搬送ガイド７７に穿設された対向する孔部７７Ａに通して、搬送路幅左端側で搬送方向に沿って隣接する２個の下搬送ローラ３０、３４の周側面の上側の部分に押し付けている。
【０３３６】
また第１紙幣搬送部７０は、右搬送ベルト７６において２個のローラ７２、７４間の搬送方向と平行な上下２箇所の直線状の部分のうち、下側の直線状の部分を、上搬送ガイド７７に穿設された対向する孔部７７Ｂに通して、搬送路幅左端側で搬送方向に沿って隣接する２個の下搬送ローラ３１、３５の周側面の上側の部分に押し付けている。
【０３３７】
因みに、第１紙幣搬送部７０は、左搬送ベルト７５及び右搬送ベルト７６がかけられ、搬送路幅方向に沿って配置された２個のローラ７１、７２の下側には、紙幣４０の搬送用に、搬送路幅方向に沿って図示しない２個の下搬送ローラを配置することができる。
【０３３８】
また第１紙幣搬送部７０は、左搬送ベルト７５及び右搬送ベルト７６がかけられ、搬送路幅方向に沿って配置された２個のローラ７１、７２の下側には、紙幣４０の搬送用に、搬送路幅方向に沿って図示しない他の２個のローラを配置し、これら他の２個のローラに、それぞれ図示しない搬送ベルトをかけることもできる。
【０３３９】
さらに第１紙幣搬送部７０は、左搬送ベルト７５及び右搬送ベルト７６がかけられ、搬送路幅方向に沿って配置された２個のローラ７３、７４の下側にも、同様に図示しない下搬送ローラや、図示しない搬送ベルトがかけられた図示しない他のローラを配置することができる。
【０３４０】
この場合、第１紙幣搬送部７０では、例えば、搬送路幅方向に沿って並ぶ２個の下搬送ローラ３０、３１の中心点Ｐ１を通る上方向と平行な仮想線と、これよりも前で搬送路幅方向に沿って並ぶ２個のローラ７１、７２の中心点Ｐ５を通る上方向と平行な仮想線との間の距離を搬送方向ローラ間距離とする。
【０３４１】
そして第１紙幣搬送部７０では、下搬送ローラ３０、３１とローラ７１、７２との間の搬送方向ローラ間距離を、第１の実施の形態の場合と同様に上述した（１）式に示す搬送方向に対するローラの配置位置の条件（以下、これを搬送方向ローラ配置条件とも呼ぶ）を満たすように選定する。
【０３４２】
また第１紙幣搬送部７０では、例えば、搬送路幅方向に沿って並ぶ２個の下搬送ローラ３４、３５の中心点Ｐ２を通る上方向と平行な仮想線と、これよりも後で搬送路幅方向に沿って並ぶ２個のローラ７３、７４の中心点Ｐ６を通る上方向と平行な仮想線との間の距離も搬送方向ローラ間距離とする。
【０３４３】
そして第１紙幣搬送部７０では、下搬送ローラ３４、３５とローラ７３、７４との間の搬送方向ローラ間距離についても、第１の実施の形態の場合と同様に上述した（１）式に示す搬送方向ローラ配置条件を満たすように選定する。
【０３４４】
また第１紙幣搬送部７０では、搬送路幅方向に対するローラ７１乃至７４の配置位置を、上述した（３）式、（４）式、（６）式、（７）式、（９）式及び（１０）式に示す搬送路幅方向ローラ配置条件を満たすように選定する。
【０３４５】
さらに第１紙幣搬送部７０は、例えば、搬送方向に沿って順に配置されるローラ７１、７２、下搬送ローラ３０、３１、下搬送ローラ３４、３５及びローラ７３、７４のそれぞれの間に、一組の左通過残留センサ８０、８１、８２及び右通過残留センサ８３、８４、８５が、第１の実施の形態の場合と同様に、上述した（１１）式、（１２）式、（１４）式、（１５）式、（１７）式及び（１８）式に示す搬送路幅方向センサ配置条件を満たす位置に配置されている。
【０３４６】
本発明は、このように第１紙幣搬送部７０を、左搬送ベルト７５及び右搬送ベルト７６を設けるように構成し、また第２及び第３紙幣搬送部についても基本的には当該第１紙幣搬送部７０と同様に構成することで、これら第１紙幣搬送部７０と第２及び第３紙幣搬送部との構成により、上述した第１及び第２の実施の形態によって得られる効果と同様の効果を得ることができる。
【０３４７】
因みに、本発明は、第１乃至第３紙幣搬送部において、図１７及び図１８に示す第１紙幣搬送部７０とは搬送ベルト及び搬送ローラを上下逆に配置することもでき、係る構成によっても、上述した第１及び第２の実施の形態によって得られる効果と同様の効果を得ることができる。
【０３４８】
これに加え本発明は、第１乃至第３紙幣搬送部１８乃至２０、５２乃至５４に、複数の下搬送ローラ３０、３１、３４、３５及び複数の上搬送ローラ３２、３３、３６、３７に換えて、紙幣４０の搬送用に複数のローラと、これら複数のローラにかけられた無端状の複数のベルトとを設けるようにしても良い。
【０３４９】
すなわち、図３及び図５との対応部分に同一符号を付した図１９及び図２０に示すように、例えば、第１紙幣搬送部９０は、左搬送フレーム２５及び右搬送フレーム２６において下搬送ガイド９１側に、搬送方向に沿って順次２個のローラ（以下、これを下ローラとも呼ぶ）９２乃至９５を、搬送路幅方向と平行な図示しないローラ回動軸を介して一回転方向及び他回転方向へ回動可能に支持している。
【０３５０】
また第１紙幣搬送部９０は、左搬送フレーム２５及び右搬送フレーム２６において上搬送ガイド１００側にも、搬送方向に沿って順次２個のローラ（以下、これを上ローラとも呼ぶ）１０１乃至１０４を、搬送路幅方向と平行な図示しないローラ回動軸を介して一回転方向及び他回転方向へ回動可能に支持している。
【０３５１】
さらに第１紙幣搬送部９０は、搬送路幅左端側で搬送方向に沿って隣接する一方の下ローラ９２から他方の下ローラ９４に亘って無端状のベルト（以下、これを左下搬送ベルトとも呼ぶ）１０５がかけられると共に、搬送路幅右端側で搬送方向に沿って隣接する一方の下ローラ９３から他方の下ローラ９５に亘っても無端状のベルト（以下、これを右下搬送ベルトとも呼ぶ）１０６がかけられている。
【０３５２】
そして第１紙幣搬送部９０は、左下搬送ベルト１０５において２個の下ローラ９２、９４間の搬送方向と平行な上下２箇所の直線状の部分のうち、上側の直線状の部分を、下搬送ガイド９１に穿設された対向する孔部に通して、当該下搬送ガイド９１の一面９１Ａと上搬送ガイド１００の対向する一面１００Ａとの間の上下ガイド間隙に入り込ませている。
【０３５３】
また第１紙幣搬送部９０は、右下搬送ベルト１０６において２個の下ローラ９３、９５間の搬送方向と平行な上下２箇所の直線状の部分のうち、上側の直線状の部分も、下搬送ガイド９１に穿設された対向する孔部９１ＡＸに通して上下ガイド間隙に入り込ませている。
【０３５４】
さらに第１紙幣搬送部９０は、左上搬送ベルト１０７において２個の上ローラ１０１、１０３間の搬送方向と平行な上下２箇所の直線状の部分のうち、下側の直線状の部分を、上搬送ガイド１００に穿設された対向する孔部１００ＡＸに通して上下ガイド間隙に入り込ませている。
【０３５５】
さらにまた第１紙幣搬送部９０は、右上搬送ベルト１０８において２個の上ローラ１０２、１０４間の搬送方向と平行な上下２箇所の直線状の部分のうち、下側の直線状の部分を、上搬送ガイド１００に穿設された対向する孔部１００ＡＹに通して上下ガイド間隙に入り込ませている。
【０３５６】
これにより第１紙幣搬送部９０は、左上搬送ベルト１０７の下側の直線状の部分において中央部から他方の上ローラ１０３までの部分を、左下搬送ベルト１０５の上側の直線状の部分において中央部から一方の下ローラ９２までの部分に押し付けている。
【０３５７】
また第１紙幣搬送部９０は、右上搬送ベルト１０８の下側の直線状の部分において中央部から他方の上ローラ１０４までの部分を、右下搬送ベルト１０６の上側の直線状の部分において中央部から一方の下ローラ９３までの部分に押し付けている。
【０３５８】
因みに、第１紙幣搬送部９０は、左上搬送ベルト１０７及び右上搬送ベルト１０８がかけられ、搬送路幅方向に沿って配置された２個の上ローラ１０１、１０２の下側には、紙幣４０の搬送用に、搬送路幅方向に沿って図示しない２個の下搬送ローラを配置することができる。
【０３５９】
また第１紙幣搬送部９０は、左上搬送ベルト１０７及び右上搬送ベルト１０８がかけられ、搬送路幅方向に沿って配置された２個の上ローラ１０１、１０２の下側には、紙幣４０の搬送用に、搬送路幅方向に沿って図示しない他の２個の下ローラを配置し、これら他の２個の下ローラに、それぞれ図示しない左下搬送ベルト及び右下搬送ベルトをかけることもできる。
【０３６０】
さらに第１紙幣搬送部９０は、左下搬送ベルト１０５及び右下搬送ベルト１０６がかけられ、搬送路幅方向に沿って配置された２個の下ローラ９４、９５の上側には、紙幣４０の搬送用に、搬送路幅方向に沿って図示しない２個の上搬送ローラを配置することができる。
【０３６１】
さらにまた第１紙幣搬送部９０は、左下搬送ベルト１０５及び右下搬送ベルト１０６がかけられ、搬送路幅方向に沿って配置された２個の下ローラ９４、９５の上側には、紙幣４０の搬送用に、搬送路幅方向に沿って図示しない他の２個の上ローラを配置し、これら他の２個の上ローラに、それぞれ図示しない左上搬送ベルト及び右上搬送ベルトをかけることもできる。
【０３６２】
この場合、第１紙幣搬送部９０では、例えば、搬送路幅方向に沿って並ぶ２個の上ローラ１０１、１０２の中心点Ｐ１０を通る上方向と平行な仮想線と、これよりも後で搬送路幅方向に沿って並ぶ２個の下ローラ９２、９３の中心点Ｐ１１を通る上方向と平行な仮想線との間の距離を搬送方向ローラ間距離とする。
【０３６３】
そして第１紙幣搬送部９０では、これら上ローラ１０１、１０２と下ローラ９２、９３との間の搬送方向ローラ間距離を、第１の実施の形態の場合と同様に上述した（１）式に示す搬送方向ローラ配置条件を満たすように選定する。
【０３６４】
また第１紙幣搬送部９０では、例えば、搬送路幅方向に沿って並ぶ２個の下ローラ９２、９３の中心点Ｐ１０を通る上方向と平行な仮想線と、これよりも後で搬送路幅方向に沿って並ぶ２個の上ローラ１０３、１０４の中心点Ｐ１２を通る上方向と平行な仮想線との間の距離も搬送方向ローラ間距離とする。
【０３６５】
そして第１紙幣搬送部９０では、これら下ローラ９２、９３と上ローラ１０３、１０４との間の搬送方向ローラ間距離も、第１の実施の形態の場合と同様に上述した（１）式に示す搬送方向ローラ配置条件を満たすように選定する。
【０３６６】
さらに第１紙幣搬送部９０では、例えば、搬送路幅方向に沿って並ぶ２個の上ローラ１０３、１０４の中心点Ｐ１２を通る上方向と平行な仮想線と、これよりも後で搬送路幅方向に沿って並ぶ２個の下ローラ９４、９５の中心点Ｐ１３を通る上方向と平行な仮想線との間の距離も搬送方向ローラ間距離とする。
【０３６７】
そして第１紙幣搬送部９０では、これら上ローラ１０３、１０４と下ローラ９４、９５との間の搬送方向ローラ間距離も、第１の実施の形態の場合と同様に上述した（１）式に示す搬送方向ローラ配置条件を満たすように選定する。
【０３６８】
さらに第１紙幣搬送部９０では、搬送路幅方向に対する下ローラ９２乃至９５の配置位置を、上述した（３）式、（４）式、（６）式、（７）式、（９）式及び（１０）式に示す搬送路幅方向ローラ配置条件を満たすように選定する。
【０３６９】
さらにまた第１紙幣搬送部９０では、搬送路幅方向に対する上ローラ１０１乃至１０４の配置位置についても、上述した（３）式、（４）式、（６）式、（７）式、（９）式及び（１０）式に示す搬送路幅方向ローラ配置条件を満たすように選定する。
【０３７０】
因みに、第１紙幣搬送部９０は、例えば、特に図示はしないが、上ローラ１０１乃至１０４と下ローラ９２乃至９５との搬送方向に沿った間に一組又は複数組の左通過残留センサ及び右通過残留センサが、第１の実施の形態の場合と同様に、上述した（１１）式、（１２）式、（１４）式、（１５）式、（１７）式及び（１８）式に示す搬送路幅方向センサ配置条件を満たすように配置されている。
【０３７１】
本発明は、このように第１紙幣搬送部９０を、左下搬送ベルト１０５及び右下搬送ベルト１０６並びに左上搬送ベルト１０７及び右上搬送ベルト１０８を設けるように構成し、また第２及び第３紙幣搬送部についても基本的には当該第１紙幣搬送部９０と同様に構成することで、これら第１紙幣搬送部９０と第２及び第３紙幣搬送部との構成により、上述した第１及び第２の実施の形態によって得られる効果と同様の効果を得ることができる。
【０３７２】
（３−２）他の実施の形態２
また上述した第２の実施の形態においては、第１乃至第３紙幣搬送部５２乃至５４において搬送路幅方向に対し２個の左通過残留センサ６０及び右通過残留センサ６１を配置するようにした場合について述べた。
【０３７３】
しかしながら本発明は、これに限らず、第１乃至第３紙幣搬送部５２乃至５４において搬送路幅方向に対し２個の左通過残留センサ６０及び右通過残留センサ６１の間や、これらよりも搬送路幅左端側、搬送路幅右端側に、さらに１又は複数の通過残留センサを配置するようにしても良い。
【０３７４】
また本発明は、第１乃至第３紙幣搬送部５２乃至５４において左通過残留センサ６０をセンサ光軸が、搬送路幅左端側の下搬送ローラ３０及び上搬送ローラ３２のローラセンタから搬送方向の前又は後に位置するように配置し、右通過残留センサ６１をセンサ光軸が、搬送路幅右端側の下搬送ローラ３１及び上搬送ローラ３３のローラセンタから搬送方向の前又は後に位置するように配置するようにしても良い。
【０３７５】
すなわち、本発明は、第１乃至第３紙幣搬送部５２乃至５４において搬送路幅方向に対し２個の左通過残留センサ及び右通過残留センサを、上述した（１１）式、（１２）式、（１４）式、（１５）式、（１７）式及び（１８）式に示す搬送路幅方向センサ配置条件を満たせば、種々の位置に配置することができると共に、これら２個の左通過残留センサ及び右通過残留センサの他にも１又は複数の通過残留センサを種々の位置に配置することができる。
【０３７６】
ここで例えば、図１２及び図１３との対応部分に同一符号を付した図２１及び図２２に示すように、第１乃至第３紙幣搬送部１２０乃至１２２では、搬送路幅方向に対し、上述の２個の左通過残留センサ６０及び右通過残留センサ６１を、対向する下搬送ローラ３０及び上搬送ローラ３２と、対向する下搬送ローラ３１及び上搬送ローラ３３との間に、上述した（１１）式、（１２）式、（１４）式、（１５）式、（１７）式及び（１８）式に示す搬送路幅方向センサ配置条件を満たすように配置する。
【０３７７】
また第１乃至第３紙幣搬送部１２０乃至１２２では、搬送路幅方向に対し、２個の左通過残留センサ６０及び右通過残留センサ６１と同様構成の通過残留センサ１２５を、対向する下搬送ローラ３０及び上搬送ローラ３２よりも搬送路幅左端寄りに配置する。
【０３７８】
さらに第１乃至第３紙幣搬送部１２０乃至１２２では、搬送路幅方向に対し、２個の左通過残留センサ６０及び右通過残留センサ６１と同様構成の通過残留センサ１２６を、対向する下搬送ローラ３１及び上搬送ローラ３３よりも搬送路幅右端寄りに配置する。
【０３７９】
すなわち、係る第１乃至第３紙幣搬送部１２０乃至１２２では、対向する下搬送ローラ３０及び上搬送ローラ３２を左右から挟み込むように左通過残留センサ６０と他の通過残留センサ１２５とを配置すると共に、対向する下搬送ローラ３１及び上搬送ローラ３３を左右から挟み込むように右通過残留センサ６１と他の通過残留センサ１２６とを配置する。
【０３８０】
本発明は、このような第１乃至第３紙幣搬送部１２０乃至１２２の構成によっても、上述した第２の実施の形態と同様の効果を得ることができる。
【０３８１】
（３−３）他の実施の形態３
さらに上述した第１及び第２の実施の形態においては、第１乃至第３紙幣搬送部１８乃至２０、５２乃至５４において搬送路幅方向に対し、２個の下搬送ローラ３０、３１、３４、３５及び２個の上搬送ローラ３２、３３、３６、３７を、上述した（３）式、（４）式、（６）式、（７）式、（９）式及び（１０）式に示す搬送路幅方向ローラ配置条件を満たす位置に配置するようにした場合について述べた。
【０３８２】
しかしながら本発明は、これに限らず、例えば、一時保留部１２において紙幣を一時的に保持する際、及び当該一時的に保持した紙幣を繰り出す際の紙幣の搬送方向と直交する方向（すなわち、搬送路幅方向）に対し、例えば、２個のローラを上述した（３）式、（４）式、（６）式、（７）式、（９）式及び（１０）式に示す搬送路幅方向ローラ配置条件を満たす位置に配置するようにしても良い。
【０３８３】
すなわち、図２３及び図２４に示すように、一時保留部１３０は、互いの一面を平行にして配置された図示しない略平板状の左フレーム及び右フレームを有している。
【０３８４】
この場合、一時保留部１３０では、左フレームの一面と右フレームの一面との間の距離が搬送路幅として、第１及び第２の実施の形態の場合と同様に上述の（１）式をもとに選定されている。
【０３８５】
よって一時保留部１３０では、左フレームの一面から右フレームの一面へ向かう右方向、及びこれとは逆の右フレームの一面から左フレームの一面へ向かう左方向が、搬送路幅方向になる。
【０３８６】
左フレーム及び右フレームは、互いの一面の間に、図示しないドラム回動軸に取り付けられた略円筒状のテープドラム１３１を、搬送路幅方向と平行にした当該ドラム回動軸を介して一回転方向及び他回転方向へ回動可能に支持している。
【０３８７】
また左フレーム及び右フレームは、互いの一面の間でテープドラム１３１の前側下寄りに、図示しないリール回動軸に取り付けられた２個のテープリール（以下、これを下テープリールとも呼ぶ）１３２、１３３を、搬送路幅方向と平行にした当該リール回動軸を介して一回転方向及び他回転方向へ回動可能に支持している。
【０３８８】
さらに左フレーム及び右フレームは、互いの一面の間でテープドラム１３１の上側前寄りにも、図示しないリール回動軸に取り付けられた２個のテープリール（以下、これを上テープリールとも呼ぶ）１３４、１３５を、搬送路幅方向と平行にした当該リール回動軸を介して一回転方向及び他回転方向へ回動可能に支持している。
【０３８９】
さらに左フレーム及び右フレームは、互いの一面の間でテープドラム１３１の前側上寄りに図示しないローラ回動軸に取り付けられた２個のローラ（以下、これを下ローラとも呼ぶ）１４０、１４１を、搬送路幅方向と平行にした当該ローラ回動軸を介して一回転方向及び他回転方向へ回動可能に支持している。
【０３９０】
さらにまた左フレーム及び右フレームは、互いの一面の間でテープドラム１３１の上斜前に（２個の下ローラ１４０、１４１の上側）、図示しないローラ回動軸に取り付けられた２個のローラ（以下、これを上ローラとも呼ぶ）１４２、１４３を、搬送路幅方向と平行にした当該ローラ回動軸を介して一回転方向及び他回転方向へ回動可能に支持している。
【０３９１】
ここで、２個の下テープリール１３２、１３３には、それぞれ搬送テープ（以下、これを下搬送テープとも呼ぶ）１４５、１４６の一端側が巻回されている。
【０３９２】
そして２本の下搬送テープ１４５、１４６は、それぞれ他端側が下ローラ１４０、１４１にかけられた状態でテープドラム１３１に巻回されている。
【０３９３】
また２個の上テープリール１３４、１３５にも、それぞれ搬送テープ（以下、これを上搬送テープとも呼ぶ）１４７、１４８の一端側が巻回されている。
【０３９４】
そして２本の上搬送テープ１４７、１４８は、それぞれ他端側が上ローラ１４２、１４３にかけられた後、下搬送テープ１４５、１４６に重ねられた状態でテープドラム１３１に巻回されている。
【０３９５】
一時保留部１３０は、係る構成のもと、紙幣取込時、制御部による図示しない駆動モータの駆動に応じてテープドラム１３１を他回転方向へ回転させて２本の下搬送テープ１４５、１４６及び２本の上搬送テープ１４７、１４８を後側へ引っ張る。
【０３９６】
これにより一時保留部１３０は、テープドラム１３１により、２個の下テープリール１３２、１３３を他回転方向へ回転させると共に、２個の上テープリール１３４、１３５を一回転方向へ回転させながら、当該２個の下テープリール１３２、１３３及び２個の上テープリール１３４、１３５から２本の下搬送テープ１４５、１４６及び２本の上搬送テープ１４７、１４８を引き出すようにして巻き取る。
【０３９７】
この状態で一時保留部１３０は、第３搬送路２０Ａ、５４Ａを介して搬送された紙幣を、２個の下ローラ１４０、１４１及び２個の上ローラ１４２、１４３の対向箇所から２本の下搬送テープ１４５、１４６及び２本の上搬送テープ１４７、１４８の間に挟み込むようにして、この場合の搬送方向となる後方向へ搬送しテープドラム１３１に巻き取る。
【０３９８】
このようにして一時保留部１３０は、第３搬送路２０Ａ、５４Ａを介して搬送される複数の紙幣を、これを挟み込む２本の下搬送テープ１４５、１４６及び２本の上搬送テープ１４７、１４８と共にテープドラム１３１に巻き取って一時的に保持する。
【０３９９】
一方、一時保留部１３０は、紙幣繰出時、制御部による駆動モータの駆動に応じて２個の下テープリール１３２、１３３を一回転方向に回転させると共に、２個の上テープリール１３４、１３５を他回転方向へ回転させてテープドラム１３１上の２本の下搬送テープ１４５、１４６及び２本の上搬送テープ１４７、１４８を前側へ引っ張る。
【０４００】
これにより一時保留部１３０は、２個の下テープリール１３２、１３３及び２個の上テープリール１３４、１３５により、テープドラム１３１を一回転方向へ回転させながら、当該テープドラム１３１から２本の下搬送テープ１４５、１４６及び２本の上搬送テープ１４７、１４８を引き出すようにして巻き取る。
【０４０１】
この状態で一時保留部１３０は、テープドラム１３１の周側面上から一時的に保持していた紙幣を、２本の下搬送テープ１４５、１４６及び２本の上搬送テープ１４７、１４８の間に挟み込みながら、この場合の搬送方向となる前方向へ搬送する。
【０４０２】
このようにして一時保留部１３０は、テープドラム１３１により２本の下搬送テープ１４５、１４６及び２本の上搬送テープ１４７、１４８の間に挟み込むようにして一時的に保持していた紙幣を、２個の下ローラ１４０、１４１及び２個の上ローラ１４２、１４３の対向箇所で当該下搬送テープ１４５、１４６及び２本の上搬送テープ１４７、１４８の間から取り出して第３搬送路２０Ａ、５４Ａへ繰り出す。
【０４０３】
そして一時保留部１３０は、搬送路幅方向に対し２個の下ローラ１４０、１４１が、上述した（３）式、（４）式、（６）式、（７）式、（９）式及び（１０）式に示す搬送路幅方向ローラ配置条件を満たす位置に配置されている。
【０４０４】
また一時保留部１３０は、搬送路幅方向に対し２個の上ローラ１４２、１４３が２個の下ローラ１４０、１４１と対向させるようにして、上述した（３）式、（４）式、（６）式、（７）式、（９）式及び（１０）式に示す搬送路幅方向ローラ配置条件を満たす位置に配置されている。
【０４０５】
さらに一時保留部１３０は、搬送路幅方向に対し２個の下テープリール１３２、１３３が２個の下ローラ１４０、１４１と対向させるようにして、上述した（３）式、（４）式、（６）式、（７）式、（９）式及び（１０）式に示す搬送路幅方向ローラ配置条件を満たす位置に配置されている。
【０４０６】
さらにまた一時保留部１３０は、搬送路幅方向に対し２個の上テープリール１３４、１３５が２個の上ローラ１４２、１４３と対向させるようにして、上述した（３）式、（４）式、（６）式、（７）式、（９）式及び（１０）式に示す搬送路幅方向ローラ配置条件を満たす位置に配置されている。
【０４０７】
これにより一時保留部１３０は、現金自動預払機で扱うことが想定される、それぞれサイズの異なる紙幣が長辺向搬送姿勢や短辺向搬送姿勢で第３搬送路２０Ａ、５４Ａを介して搬送されると、その紙幣をサイズに関わらず、また第３搬送路２０Ａ、５４Ａの搬送路幅方向に対し何処を通って搬送されたのかにも関わらずに受け取って、引き続き２本の下搬送テープ１４５、１４６及び２本の上搬送テープ１４７、１４８の間に挟み込みながらテープドラム１３１へと搬送することができる。
【０４０８】
ところで、一時保留部１３０では、２個の下ローラ１４０、１４１の中心点（以下、これを下ローラ中心点とも呼ぶ）から、２本の下搬送テープ１４５、１４６におけるテープドラム１３１の外面との接点（以下、これをテープドラム接点とも呼ぶ）までの距離を、上述の（１）式に示す搬送方向ローラ間距離に相当するものとして、搬送方向に対し当該２個の下ローラ１４０、１４１が、（１）式に示す搬送方向ローラ配置条件を満たす位置に配置されている。
【０４０９】
また一時保留部１３０では、２個の上ローラ１４２、１４３の中心点（以下、これを上ローラ中心点とも呼ぶ）からテープドラム接点までの距離も、上述の（１）式に示す搬送方向ローラ間距離に相当するものとして、搬送方向に対し当該２個の上ローラ１４２、１４３が、（１）式に示す搬送方向ローラ配置条件を満たす位置に配置されている。
【０４１０】
ただし、一時保留部１３０は、テープドラム１３１に対する紙幣の巻取枚数が変化すると、これに応じて全体の外径が変化する。
【０４１１】
このため一時保留部１３０は、テープドラム１３１の外径の変化に応じて、２個の下ローラ１４０、１４１及び２個の上ローラ１４２、１４３の少なくとも一方を、搬送路幅方向に対する配置位置はそのままにローラ回動軸と共に、例えば、前後のような所定の一方向及びこれとは逆の他方向へ移動させて、テープドラム１３１に一時的に保持している紙幣に接触しないようにしている。
【０４１２】
そして一時保留部１３０は、このような２個の下ローラ１４０、１４１及び２個の上ローラ１４２、１４３の少なくとも一方の移動機構を利用して、下ローラ中心点及びテープドラム接点の間の距離と、上ローラ中心点及びテープドラム接点の間の距離とを常に一定にしている。
【０４１３】
これにより一時保留部１３０は、紙幣を２本の下搬送テープ１４５、１４６及び２本の上搬送テープ１４７、１４８の間に挟み込むようにして搬送する際、当該紙幣を、搬送力を的確に与えて搬送してテープドラム１３１に巻き取らせ、またテープドラム１３１から送り出させることができる。
【０４１４】
このように一時保留部１３０は、本来、紙幣を一時的に保持するものであるが、その保持や繰出の際の紙幣の搬送において、上述した第１の実施の形態と同様の効果を得ることができる。
【０４１５】
（３−４）他の実施の形態４
さらに上述した第１及び第２の実施の形態においては、第１乃至第３紙幣搬送部１８乃至２０、５２乃至５４に、周側面が平らな下搬送ローラ３０、３１、３４、３５及び上搬送ローラ３２、３３、３６、３７を設けるようにした場合について述べた。
【０４１６】
しかしながら本発明は、これに限らず、第１乃至第３紙幣搬送部１８乃至２０、５２乃至５４に、周側面が弓形状の（すなわち、周側面においてローラ幅方向の中央部が一周に亘り突出しているような）上搬送ローラ及び下搬送ローラを設けるようにしても良い。
【０４１７】
（３−５）他の実施の形態５
さらに上述した第１及び第２の実施の形態においては、本発明による紙葉類搬送装置を、図１乃至図２４について上述した現金自動預払機１、５０に設けられた第１乃至第３紙幣搬送部１８乃至２０、５２乃至５４に適用するようにした場合について述べた。
【０４１８】
しかしながら本発明は、これに限らず、それぞれサイズの異なる複数種類の切符を搬送する搬送部や、それぞれサイズの異なる複数種類のチケットを搬送する搬送部、それぞれサイズの異なる複数種類のコピー用紙を搬送する搬送部、それぞれサイズの異なる複数種類の葉書を搬送する搬送部、それぞれサイズの異なる複数種類の有価証券を搬送する搬送部等、また、これらサイズの異なる切符、チケット、コピー用紙、葉書及び有価証券等の少なくとも一部を複合的に扱うようにして搬送する搬送部等のように、この他種々の紙葉類搬送装置に広く適用することができる。
【０４１９】
（３−６）他の実施の形態６
さらに上述した第１及び第２の実施の形態においては、本発明による紙葉類取扱装置を、図１乃至図２４について上述した現金自動預払機１、５０に適用するようにした場合について述べた。
【０４２０】
しかしながら本発明は、これに限らず、現金自動支払機（CD：Cash  Dispenser）や両替機、電車の切符や観劇のチケット等を販売する券売機、精算機、自動販売機、パチンコ台やスロット台のような遊戯機、コピー機、葉書搬送装置等のように、この他種々の構成の紙葉類取扱装置に広く適用することができる。
【０４２１】
（３−７）他の実施の形態７
さらに上述した第１及び第２の実施の形態においては、それぞれサイズの異なる複数種類の長方形の紙葉類として、図１乃至図２４について上述した、それぞれサイズの異なる複数種類の紙幣４０を適用するようにした場合について述べた。
【０４２２】
しかしながら本発明は、これに限らず、それぞれサイズの異なる複数種類の切符や、それぞれサイズの異なる複数種類のチケット、それぞれサイズの異なる複数種類のコピー用紙、それぞれサイズの異なる複数種類の葉書、それぞれサイズの異なる複数種類の有価証券等のように、この他種々の紙葉類を広く適用することができる。
【０４２３】
（３−８）他の実施の形態８
さらに上述した第１及び第２の実施の形態においては、それぞれサイズの異なる複数種類の長方形の紙葉類のうち長辺が最も長い長辺最長紙葉類の当該長辺の長さに応じた搬送路幅で対向配置された一対のフレームとして、図１乃至図２４について上述した左搬送フレーム２５及び右搬送フレーム２６を適用するようにした場合について述べた。
【０４２４】
しかしながら本発明は、これに限らず、下搬送ガイド２８と一体成形された左搬送フレーム２５及び右搬送フレーム２６等のように、この他種々の構成の一対のフレームを広く適用することができる。
【０４２５】
（３−９）他の実施の形態９
さらに上述した第１及び第２の実施の形態においては、一対のフレームの間に搬送路幅方向に対して順に配置され、紙葉類を搬送路幅方向と直交する搬送方向へ搬送するための少なくとも２個以上のローラとして、図１乃至図２４について上述した、紙幣４０を搬送用に直接駆動する下搬送ローラ３０、３１、３４、３５及び上搬送ローラ３２、３３、３６、３７を適用するようにした場合について述べた。
【０４２６】
しかしながら本発明は、これに限らず、紙幣４０を搬送用に駆動するベルトや、当該紙幣４０を搬送用に駆動するテープがかけられるローラ（すなわち、ベルトやテープをかけることができるように、平らな周側面やローラ幅方向の中央部が一周に亘り凹んでいる周側面、歯車のように一周に亘り所定ピッチで溝部が形成された周側面を有するローラ）等のように、この他種々の構成のローラを広く適用することができる。
【０４２７】
（３−１０）他の実施の形態１０
さらに上述した第１及び第２の実施の形態においては、一対のフレームの間に搬送路幅方向に対して順に配置され、搬送される紙葉類の通過の有無及び残留の有無を検出するための少なくとも２個以上のセンサとして、図１乃至図２４について上述した発光素子６０Ａ、６１Ａ及び受光素子６０Ｂ、６１Ｂを有する左通過残留センサ６０及び右通過残留センサ６１を適用するようにした場合について述べた。
【０４２８】
しかしながら本発明は、これに限らず、磁気によって紙葉類の通過の有無及び残留の有無を検出するセンサや、接触によって紙葉類の通過の有無及び残留の有無を検出するセンサ等のように、この他種々の構成のセンサを広く適用することができる。
【産業上の利用可能性】
【０４２９】
本発明は、紙幣や切符、チケット、コピー用紙、葉書、有価証券等のそれぞれサイズの異なる紙葉類を搬送する紙葉類搬送装置と、当該紙幣や切符、チケット、コピー用紙、葉書、有価証券等のそれぞれサイズの異なる紙葉類を搬送するようにして取り扱う紙葉類取扱装置とに利用することができる。
【符号の説明】
【０４３０】
１、５０……現金自動預払機、１８、５２、７０、９０、１２０……第１紙幣搬送部、１８Ａ、５２Ａ……第１搬送路、１９、５３、１２１……第２紙幣搬送部、１９Ａ、５３Ａ……第２搬送路、２０、５４、１２２……第３紙幣搬送部、２０Ａ、５４Ａ……第３搬送路、２５……左搬送フレーム、２６……右搬送フレーム、３０、３１、３４、３５……下搬送ローラ、３２、３３、３６、３７……上搬送ローラ、４０……紙幣、４０Ａ……短辺最短紙幣、４０Ｂ……長辺最短紙幣、６０、８０、８１、８２……左通過残留センサ、６１、８３、８４、８５……右通過残留センサ、７１乃至７４……ローラ、７５……左搬送ベルト、７６……右搬送ベルト、９２乃至９５、１４０、１４１……下ローラ、１０１乃至１０４、１４２、１４３……上ローラ、１０５……左下搬送ベルト、１０６……右下搬送ベルト、１０７……左上搬送ベルト、１０８……右上搬送ベルト、１２５、１２６……通過残留センサ、１３０……一時保留部、１４５、１４６……下搬送テープ、１４７、１４８……上搬送テープ。
【図１】
2015110479.tif 000003
【図２】
2015110479.tif 000004
【図３】
2015110479.tif 000005
【図４】
2015110479.tif 000006
【図５】
2015110479.tif 000007
【図６】
2015110479.tif 000008
【図７】
2015110479.tif 000009
【図８】
2015110479.tif 000010
【図９】
2015110479.tif 000011
【図１０】
2015110479.tif 000012
【図１１】
2015110479.tif 000013
【図１２】
2015110479.tif 000014
【図１３】
2015110479.tif 000015
【図１４】
2015110479.tif 000016
【図１５】
2015110479.tif 000017
【図１６】
2015110479.tif 000018
【図１７】
2015110479.tif 000019
【図１８】
2015110479.tif 000020
【図１９】
2015110479.tif 000021
【図２０】
2015110479.tif 000022
【図２１】
2015110479.tif 000023
【図２２】
2015110479.tif 000024
【図２３】
2015110479.tif 000025
【図２４】
2015110479.tif 000026